(57)【要約】【課題】電極線における局所的な線幅の拡大を抑えることのできる導電性フィルム、タッチパネル、および、表示装置を提供する。【解決手段】センシング電極線３３ＳＲは、第１電極方向Ｄ１に対して傾斜した方向にセンシング電極線３３ＳＲに沿って基端から先端に向けて延びる直線状を有した複数の傾斜部３３Ｅと、第１電極方向Ｄ１において互いに隣り合う２つの傾斜部３３Ｅに対して一方の先端と他方の基端とを繋ぐ直線状を有した複数の中継部３３Ｑとを有する。傾斜部３３Ｅと中継部３３Ｑとはセンシング電極線３３ＳＲに沿って交互に配置され、互いに隣り合う傾斜部３３Ｅと中継部３３Ｑとのなす角は鈍角である。【選択図】図５
2017211774.tif 000002
【特許請求の範囲】
【請求項１】
第１面と、前記第１面とは反対側の面である第２面とを有する透明誘電体層と、
前記透明誘電体層の前記第１面にて、第１方向に沿って延びるとともに、前記第１方向と交差する第１交差方向に沿って並ぶ複数の電極線と、
前記透明誘電体層の前記第２面にて、前記第１方向と交差する第２方向に沿って延びるとともに、前記第２方向と交差する第２交差方向に沿って並ぶ複数の電極線と、
を備え、
前記第１面に位置する複数の前記電極線は、屈曲線形状を有する第１電極線を含み、
前記第１電極線は、前記第１方向に対して傾斜した方向に前記第１電極線に沿って基端から先端に向けて延びる直線状を有した複数の第１傾斜部と、前記第１方向において互いに隣り合う２つの前記第１傾斜部に対して一方の先端と他方の基端とを繋ぐ直線状を有した複数の第１中継部とを有し、
前記第１傾斜部と前記第１中継部とは前記第１電極線に沿って交互に配置され、互いに隣り合う前記第１傾斜部と前記第１中継部とのなす角は鈍角である
導電性フィルム。
【請求項２】
前記第１中継部は、前記第１方向に沿って延びる
請求項１に記載の導電性フィルム。
【請求項３】
前記第１中継部の両端に繋がる２つの前記第１傾斜部の各々の延長線の交点が仮想交点であり、前記第１電極線に沿って互いに隣り合う２つの前記仮想交点間における前記第１方向に沿った最大の長さが交点間距離であり、
前記第１中継部の長さは、前記交点間距離の０．２倍以下の長さである
請求項１または２に記載の導電性フィルム。
【請求項４】
前記第１中継部の両端に繋がる２つの前記第１傾斜部の各々の延長線の交点が仮想交点であり、前記第１電極線に対して前記第１交差方向の一方側に位置する複数の前記仮想交点と、前記第１電極線に対して前記第１交差方向の他方側に位置する複数の前記仮想交点とは、前記第１方向に延びる別々の直線上に位置し、これらの直線間の前記第１交差方向に沿った長さが屈曲幅であり、
前記第１面に位置する複数の前記電極線は、前記第１交差方向に沿って所定の間隔である電極線間隔をあけて並ぶ複数の前記第１電極線を含み、
前記電極線間隔に対する前記屈曲幅の比は、０．７以上１．３以下である
請求項１〜３のいずれか一項に記載の導電性フィルム。
【請求項５】
前記第１中継部の両端に繋がる２つの前記第１傾斜部の各々の延長線の交点が仮想交点であり、
前記第１電極線に対して前記第１交差方向の一方側に位置する複数の前記仮想交点の各々が変位仮想交点であり、前記変位仮想交点の前記第１交差方向における位置が、前記第１交差方向の一方側での前記変位仮想交点の並ぶ順序に対し不規則に変化するように、前記第１電極線は構成されている
請求項１に記載の導電性フィルム。
【請求項６】
複数の第１仮想屈曲部と複数の第２仮想屈曲部とを有して前記第１方向に沿って延びる折れ線形状を有するとともに前記第１交差方向に所定の間隔である基準間隔をあけて配置される複数の仮想的な電極線の各々が基準電極線であり、
前記第１仮想屈曲部と前記第２仮想屈曲部とは前記基準電極線に沿って周期的に１つずつ交互に並び、かつ、複数の前記第１仮想屈曲部と複数の前記第２仮想屈曲部とは、前記第１方向に延びる別々の直線上に位置し、
前記第１仮想屈曲部および前記第２仮想屈曲部の少なくとも一方が基準屈曲部であり、前記基準電極線において前記第１方向に隣り合う２つの前記基準屈曲部の間の距離が基準周期であり、
前記基準屈曲部を中心として、前記基準周期の０．５倍以下の長さを有して前記第１方向に延びる対角線と前記基準間隔以下の長さを有して前記第１交差方向に延びる対角線とを有する菱形形状の仮想的な領域が変位領域であり、
複数の前記変位仮想交点の各々が、各別の前記変位領域内に位置するように、前記第１電極線は構成されている
請求項５に記載の導電性フィルム。
【請求項７】
前記第２面に位置する複数の前記電極線は、屈曲線形状を有する第２電極線を含み、
前記第２電極線は、前記第２方向に対して傾斜した方向に前記第２電極線に沿って基端から先端に向けて延びる直線状を有した複数の第２傾斜部と、前記第２方向において互いに隣り合う２つの前記第２傾斜部に対して一方の先端と他方の基端とを繋ぐ直線状を有した複数の第２中継部とを有し、
前記第２傾斜部と前記第２中継部とは前記第２電極線に沿って交互に配置され、互いに隣り合う前記第２傾斜部と前記第２中継部とのなす角は鈍角である
請求項１〜６のいずれか一項に記載の導電性フィルム。
【請求項８】
前記第１面に位置する複数の電極線と前記第２面に位置する複数の電極線とは、互いに異なる基材上に配置されている
請求項１〜７のいずれか一項に記載の導電性フィルム。
【請求項９】
前記第１方向と前記第２方向とは互いに直交する
請求項１〜８のいずれか一項に記載の導電性フィルム。
【請求項１０】
請求項１〜９のいずれか一項に記載の導電性フィルムと、
前記導電性フィルムを覆うカバー層と、
前記第１面に配置された電極線と前記第２面に配置された電極線との間の静電容量を測定する周辺回路と、を備える
タッチパネル。
【請求項１１】
格子状に配置された複数の画素を有して情報を表示する表示パネルと、
前記表示パネルの表示する前記情報を透過するタッチパネルと、
前記タッチパネルの駆動を制御する制御部と、を備え、
前記タッチパネルは、請求項１０に記載のタッチパネルである
表示装置。
【発明の詳細な説明】
【技術分野】
【０００１】
本発明は、複数の電極線を備える導電性フィルム、この導電性フィルムを備えるタッチパネル、および、このタッチパネルを備える表示装置に関する。
【背景技術】
【０００２】
タッチパネルを入力デバイスとして用いる表示装置は、画像を表示する表示パネルと、表示パネルに重ねられた上記タッチパネルとを備えている。タッチパネルにおける指などの接触位置の検出方式としては、指などがタッチパネルの操作面に接触することを静電容量の変化として検出する静電容量方式が広く用いられている。静電容量方式のタッチパネルにおいて、タッチパネルの備える導電性フィルムは、第１方向に沿って延びる複数の第１電極と、第１方向と直交する第２方向に沿って延びる複数の第２電極と、第１電極と第２電極とに挟まれた透明誘電体層とを備えている。そして、１つの第１電極と複数の第２電極の各々との間における静電容量の変化が第１電極ごとに検出されて、操作面における指などの接触位置が検出される。
【０００３】
こうした導電性フィルムの一例では、複数の第１電極の各々は、第１方向に沿って延びる複数の第１電極線から構成され、複数の第２電極の各々は、第２方向に沿って延びる複数の第２電極線から構成される。電極線としては、銀や銅などの金属からなる細線が用いられる。電極線の材料として金属が用いられることによって、接触位置の検出に際しての迅速な応答性や高い分解能が得られるとともに、タッチパネルの大型化や製造コストの削減が可能となる。
【０００４】
ところで、可視光を吸収、あるいは、反射する金属から電極線が形成される構成では、タッチパネルの操作面から見て、複数の第１電極線と複数の第２電極線とが、これらの電極線が相互に直交した格子状のパターンを形成している。一方で、タッチパネルが積層される表示パネルでも、第１方向と第２方向とに沿って複数の画素を区画するブラックマトリクスが、格子状のパターンを形成している。
【０００５】
この際に、相互に隣り合う第１電極線の間の間隔は、相互に隣り合う画素間の第２方向における間隔とは一般に異なり、また、相互に隣り合う第２電極線の間の間隔も、相互に隣り合う画素間の第１方向における間隔とは異なる。そして、タッチパネルの操作面から見て、第１電極線と第２電極線とから形成される格子状の周期構造と、画素を区画する格子状の周期構造とが重なることによって、２つの周期構造のずれが、モアレ（ｍｏｉｒｅ）を誘起する場合がある。モアレが視認されると、表示装置にて視認される画像の品質の低下が生じる。
【０００６】
こうしたモアレを抑えるための方策の１つとして、電極線の周期構造の周期性を低下させることが提案されている。複数の電極線から構成されたパターンの周期性が低いと、この電極線パターンは周期構造として認識され難くなるため、画素を区画するパターンと電極線パターンとのずれが、２つの周期構造のずれとして認識され難くなる。それゆえ、モアレが視認されることが抑えられる。
【０００７】
例えば、特許文献１に記載のタッチパネルでは、第１電極線と第２電極線との各々が、山部と谷部とが交互に繰り返される折れ線形状を有しており、これらの電極線から構成されるパターンは、矩形とは異なる多角形の繰り返し構造を有する。したがって、こうした電極線パターンの周期性は、矩形が並ぶ格子状の電極線パターンと比較して低くなる。
【先行技術文献】
【特許文献】
【０００８】
【特許文献１】国際公開第２０１４／１１５８３１号
【発明の概要】
【発明が解決しようとする課題】
【０００９】
ところで、特許文献１に記載のような山部と谷部とが交互に繰り返される折れ線形状のなかの角部では、電極線の延びる方向が単位面積において大きく変わる。そのため、電極線の製造に際しては、角部の形状を設計形状の通りに精密に形成することが難しい。特に、電極線が金属薄膜のエッチングによって形成される場合には、角部における電極線の線幅が設計寸法よりも太くなりやすい。こうした局所的な線幅の拡大は、タッチパネルの電気的特性における設計値と実測値とのずれの増大や、表示装置にて視認される画像の品質の低下を招きかねない。
本発明は、電極線における局所的な線幅の拡大を抑えることのできる導電性フィルム、タッチパネル、および、表示装置を提供することを目的とする。
【課題を解決するための手段】
【００１０】
上記課題を解決する導電性フィルムは、第１面と、前記第１面とは反対側の面である第２面とを有する透明誘電体層と、前記透明誘電体層の前記第１面にて、第１方向に沿って延びるとともに、前記第１方向と交差する第１交差方向に沿って並ぶ複数の電極線と、前記透明誘電体層の前記第２面にて、前記第１方向と交差する第２方向に沿って延びるとともに、前記第２方向と交差する第２交差方向に沿って並ぶ複数の電極線と、を備え、前記第１面に位置する複数の前記電極線は、屈曲線形状を有する第１電極線を含み、前記第１電極線は、前記第１方向に対して傾斜した方向に前記第１電極線に沿って基端から先端に向けて延びる直線状を有した複数の第１傾斜部と、前記第１方向において互いに隣り合う２つの前記第１傾斜部に対して一方の先端と他方の基端とを繋ぐ直線状を有した複数の第１中継部とを有し、前記第１傾斜部と前記第１中継部とは前記第１電極線に沿って交互に配置され、互いに隣り合う前記第１傾斜部と前記第１中継部とのなす角は鈍角である。
【００１１】
上記構成によれば、屈曲線形状を有する第１電極線において第１中継部と第１中継部に繋がる第１傾斜部とから構成された屈曲部分では、山部と谷部とが交互に繰り返される、第１傾斜部が延伸された折れ線形状の電極線の屈曲部分と比較して、電極線の延びる方向の単位面積における変化が緩やかである。したがって、第１電極線の形成が容易であり、製造過程において屈曲部分の付近で電極線の線幅が局所的に拡大することが抑えられる。その結果、こうした電極線パターンを有する導電性フィルムを備えたタッチパネルにて、電気的特性における設計値と実測値とにずれが生じることが抑えられ、タッチパネルを備える表示装置にて視認される画像の品質が低下することも抑えられる。
【００１２】
上記構成において、前記第１中継部は、前記第１方向に沿って延びていてもよい。
上記構成によれば、第１中継部が第１方向に対して大きく傾いている構成と比較して、屈曲部分において電極線の延びる方向の単位面積における変化が緩やかになりやすく、製造過程において屈曲部分の付近で電極線の線幅が局所的に拡大することを抑える効果が得られやすい。
【００１３】
上記構成において、前記第１中継部の両端に繋がる２つの前記第１傾斜部の各々の延長線の交点が仮想交点であり、前記第１電極線に沿って互いに隣り合う２つの前記仮想交点間における前記第１方向に沿った最大の長さが交点間距離であり、前記第１中継部の長さは、前記交点間距離の０．２倍以下の長さであってもよい。
【００１４】
上記構成によれば、第１傾斜部と仮想交点とを通る折れ線形状を設計上の形状として実際に形成された電極線であって、屈曲部分の付近での線幅が局所的に太い電極線から構成されるパターンと比較して、画素パターンとの重ね合わせに際してモアレが視認されることが抑えられる。
【００１５】
上記構成において、前記第１中継部の両端に繋がる２つの前記第１傾斜部の各々の延長線の交点が仮想交点であり、前記第１電極線に対して前記第１交差方向の一方側に位置する複数の前記仮想交点と、前記第１電極線に対して前記第１交差方向の他方側に位置する複数の前記仮想交点とは、前記第１方向に延びる別々の直線上に位置し、これらの直線間の前記第１交差方向に沿った長さが屈曲幅であり、前記第１面に位置する複数の前記電極線は、前記第１交差方向に沿って所定の間隔である電極線間隔をあけて並ぶ複数の前記第１電極線を含み、前記電極線間隔に対する前記屈曲幅の比は、０．７以上１．３以下であってもよい。
上記構成によれば、電極線パターンと画素パターンとの重ね合わせに際してモアレが視認されることがより抑えられやすくなる。
【００１６】
上記構成において、前記第１中継部の両端に繋がる２つの前記第１傾斜部の各々の延長線の交点が仮想交点であり、前記第１電極線に対して前記第１交差方向の一方側に位置する複数の前記仮想交点の各々が変位仮想交点であり、前記変位仮想交点の前記第１交差方向における位置が、前記第１交差方向の一方側での前記変位仮想交点の並ぶ順序に対し不規則に変化するように、前記第１電極線は構成されていてもよい。
【００１７】
上記構成によれば、電極線パターンが、不規則に屈曲する屈曲線を含むため、規則的な屈曲線からなる電極線パターンと比較して、電極線パターンの周期性が低い。その結果、画素パターンと電極線パターンとのずれが、２つの周期構造のずれとして認識され難くなるため、画素パターンと電極線パターンとを重ね合わせた場合に、モアレが視認されることがさらに抑えられる。
【００１８】
上記構成において、複数の第１仮想屈曲部と複数の第２仮想屈曲部とを有して前記第１方向に沿って延びる折れ線形状を有するとともに前記第１交差方向に所定の間隔である基準間隔をあけて配置される複数の仮想的な電極線の各々が基準電極線であり、前記第１仮想屈曲部と前記第２仮想屈曲部とは前記基準電極線に沿って周期的に１つずつ交互に並び、かつ、複数の前記第１仮想屈曲部と複数の前記第２仮想屈曲部とは、前記第１方向に延びる別々の直線上に位置し、前記第１仮想屈曲部および前記第２仮想屈曲部の少なくとも一方が基準屈曲部であり、前記基準電極線において前記第１方向に隣り合う２つの前記基準屈曲部の間の距離が基準周期であり、前記基準屈曲部を中心として、前記基準周期の０．５倍以下の長さを有して前記第１方向に延びる対角線と前記基準間隔以下の長さを有して前記第１交差方向に延びる対角線とを有する菱形形状の仮想的な領域が変位領域であり、複数の前記変位仮想交点の各々が、各別の前記変位領域内に位置するように、前記第１電極線は構成されていてもよい。
【００１９】
上記構成によれば、第１面に位置する電極線のパターンが過度に不規則になることが抑えられ、例えば、互いに隣り合う電極線が交差したり接触したりすることが抑えられる。
【００２０】
上記構成において、前記第２面に位置する複数の前記電極線は、屈曲線形状を有する第２電極線を含み、前記第２電極線は、前記第２方向に対して傾斜した方向に前記第２電極線に沿って基端から先端に向けて延びる直線状を有した複数の第２傾斜部と、前記第２方向において互いに隣り合う２つの前記第２傾斜部に対して一方の先端と他方の基端とを繋ぐ直線状を有した複数の第２中継部とを有し、前記第２傾斜部と前記第２中継部とは前記第２電極線に沿って交互に配置され、互いに隣り合う前記第２傾斜部と前記第２中継部とのなす角は鈍角である。
【００２１】
上記構成によれば、第１電極線と同様に、第２電極線において、第２中継部と第２中継部に繋がる第２傾斜部とから構成された屈曲部分では、山部と谷部とが交互に繰り返される、第２傾斜部が延伸された折れ線形状の電極線の屈曲部分と比較して、電極線の延びる方向の単位面積における変化が緩やかである。したがって、第２電極線の形成が容易であり、第２電極線においても、製造過程において屈曲部分の付近で電極線の線幅が局所的に拡大することが抑えられる。第１電極線と第２電極線との双方で電極線の線幅が局所的に拡大することが抑えられることにより、こうした電極線パターンを有する導電性フィルムを備えたタッチパネルにて、電気的特性における設計値と実測値とにずれが生じることや、タッチパネルを備える表示装置にて視認される画像の品質が低下することがさらに抑えられる。
上記構成において、前記第１面に位置する複数の電極線と前記第２面に位置する複数の電極線とは、互いに異なる基材上に配置されていてもよい。
上記構成によれば、１つの基材の両面に電極線が形成される構成と比較して、電極線の形成が容易である。
【００２２】
上記構成において、前記第１方向と前記第２方向とは互いに直交してもよい。
上記構成によれば、第１面に位置する電極線と第２面に位置する電極線とが重ね合わされた電極線パターンが容易に得られる。また、導電性フィルムの製造に際して、第１面に位置する電極線と第２面に位置する電極線との位置合わせが容易である。
【００２３】
上記課題を解決するタッチパネルは、上記導電性フィルムと、前記導電性フィルムを覆うカバー層と、前記第１面に配置された電極線と前記第２面に配置された電極線との間の静電容量を測定する周辺回路と、を備える。
【００２４】
上記構成によれば、タッチパネルの備える第１電極線にて、電極線の線幅が局所的に拡大することが抑えられているため、電気的特性における設計値と実測値とにずれが生じることや、タッチパネルを備える表示装置にて視認される画像の品質が低下することが抑えられる。
【００２５】
上記課題を解決する表示装置は、格子状に配置された複数の画素を有して情報を表示する表示パネルと、前記表示パネルの表示する前記情報を透過するタッチパネルと、前記タッチパネルの駆動を制御する制御部と、を備え、前記タッチパネルは、上記タッチパネルである。
上記構成によれば、線幅が局所的に拡大することが抑えられた電極線を有するタッチパネルを備えた表示装置が実現できる。
【発明の効果】
【００２６】
本発明によれば、電極線の製造過程にて生じる局所的な線幅の拡大を抑えることができる。
【図面の簡単な説明】
【００２７】
【図１】表示装置の第１実施形態における断面構造を示す断面図。
【図２】第１実施形態における導電性フィルムの平面構造を示す平面図。
【図３】第１実施形態における表示パネルの画素配列を示す平面図。
【図４】第１実施形態におけるタッチパネルの電気的構成を説明するための模式図。
【図５】第１実施形態におけるセンシング電極線の構成を示す図。
【図６】第１実施形態におけるドライブ電極線の構成を示す図。
【図７】第１実施形態における導電性フィルムの一部分の平面構造を示す平面図であって、センシング電極線とドライブ電極線とから構成される電極線パターンの構成を示す図。
【図８】第１実施形態におけるセンシング基準電極線の構成を示す図。
【図９】第１実施形態における複数のセンシング基準電極線から構成されるパターンのＦＦＴ解析結果の一例を示す図。
【図１０】第１実施形態におけるセンシング基準電極線について占有比とＦＦＴ解析結果における周波数成分の強度との関係を示す図。
【図１１】（ａ）は理想的な電極線の形状を示す図、（ｂ）は実際に形成される電極線の形状を模式的に示す図。
【図１２】理想的な電極線のパターンと実際に形成される電極線のパターンとについて、モアレの発生程度を評価したシミュレーション結果を示す図。
【図１３】第１実施形態のセンシング電極線について、中継部の中継長の大きさを変えて、モアレの発生程度を評価したシミュレーション結果を示す図。
【図１４】第１実施形態のセンシング電極線の作成方法の他の例を示す図。
【図１５】図１４に示した方法によって作成したセンシング電極線について、中継部の中継長の大きさを変えて、モアレの発生程度を評価したシミュレーション結果を示す図。
【図１６】第２実施形態におけるセンシング電極線の構成を示す図。
【図１７】第２実施形態のセンシング基準電極線に基づいて作成されたセンシング変位電極線の一例を示す図。
【図１８】第２実施形態のセンシング変位電極線に基づいて作成されたセンシング電極線の一例を示す図。
【図１９】第２実施形態のドライブ基準電極線に基づいて作成されたドライブ電極線の一例を示す図。
【図２０】第２実施形態の変形例のセンシング電極線の構成を示す図。
【図２１】変形例における表示装置の断面構造を示す断面図。
【図２２】変形例における表示装置の断面構造を示す断面図。
【発明を実施するための形態】
【００２８】
（第１実施形態）
図１〜図１５を参照して、導電性フィルム、タッチパネル、および、表示装置の第１実施形態について説明する。なお、各図は、第１実施形態の導電性フィルム、タッチパネル、および、表示装置を説明するためにこれらの構成を模式的に示した図であり、各図に示される構成が有する各部位の大きさの比率は、実際の比率とは異なる場合がある。
【００２９】
［表示装置の構成］
図１を参照して、表示装置の構成について説明する。
【００３０】
図１が示すように、表示装置１００は、例えば、液晶パネルである表示パネル１０と、タッチパネル２０とが、図示しない１つの透明接着層によって貼り合わされた積層体を備え、さらに、タッチパネル２０を駆動するための回路やタッチパネル２０の駆動を制御する制御部を備えている。なお、表示パネル１０とタッチパネル２０との相対的な位置が筐体などの他の構成によって固定される前提であれば、上記透明接着層は割愛されてもよい。
表示パネル１０の表面には、略矩形形状の表示面が区画され、表示面には、画像データに基づく画像などの情報が表示される。
【００３１】
表示パネル１０を構成する構成要素は、タッチパネル２０から遠い構成要素から順番に、以下のように並んでいる。すなわち、タッチパネル２０から遠い順番に、下側偏光板１１、薄膜トランジスタ（以下、ＴＦＴ）基板１２、ＴＦＴ層１３、液晶層１４、カラーフィルタ層１５、カラーフィルタ基板１６、上側偏光板１７が位置している。
【００３２】
これらのうち、ＴＦＴ層１３には、サブ画素を構成する画素電極がマトリクス状に位置している。また、カラーフィルタ層１５が有するブラックマトリクスは、矩形形状を有した複数の単位格子から構成される格子形状を有している。そして、ブラックマトリクスは、こうした格子形状によって、サブ画素の各々と向かい合う領域として矩形形状を有する複数の領域を区画し、ブラックマトリクスの区画する各領域には、白色光を赤色、緑色、および、青色のいずれかの色の光に変える着色層が位置している。
【００３３】
なお、表示パネル１０が有色の光を出力するＥＬパネルであって、赤色の光を出力する赤色画素、緑色の光を出力する緑色画素、および、青色の光を出力する青色画素を有する構成であれば、上述したカラーフィルタ層１５は割愛されてもよい。この際に、ＥＬパネルにおいて相互に隣り合う画素の境界部分は、ブラックマトリクスとして機能する。また、表示パネル１０は放電によって発光するプラズマパネルであってもよく、この場合、赤色の蛍光体層と、緑色の蛍光体層と、青色の蛍光体層とを区画する境界部分がブラックマトリクスとして機能する。
【００３４】
タッチパネル２０は、静電容量方式のタッチパネルであり、導電性フィルム２１とカバー層２２とが透明接着層２３によって貼り合わされた積層体であって、表示パネル１０の表示する情報を透過する光透過性を有している。
【００３５】
詳細には、タッチパネル２０を構成する構成要素のなかで表示パネル１０に近い構成要素から順番に、透明基板３１、複数のドライブ電極３１ＤＰ、透明接着層３２、透明誘電体基板３３、複数のセンシング電極３３ＳＰ、透明接着層２３、カバー層２２が位置している。このうち、透明基板３１、ドライブ電極３１ＤＰ、透明接着層３２、透明誘電体基板３３、および、センシング電極３３ＳＰが、導電性フィルム２１を構成している。
【００３６】
透明基板３１は、表示パネル１０の表示面が表示する画像などの情報を透過する光透過性と絶縁性とを有し、表示面の全体に重ねられている。透明基板３１は、例えば、透明ガラス基板や、透明樹脂フィルムや、シリコン基板などの基材から構成される。透明基板３１に用いられる樹脂としては、例えば、ＰＥＴ（Ｐｏｌｙｅｔｈｙｌｅｎｅ  Ｔｅｒｅｐｈｔｈａｌａｔｅ）、ＰＭＭＡ（Ｐｏｌｙｍｅｔｈｙｌ  ｍｅｔｈａｃｒｙｌａｔｅ）、ＰＰ（Ｐｏｌｙｐｒｏｐｙｌｅｎｅ）、ＰＳ（Ｐｏｌｙｓｔｙｒｅｎｅ）などが挙げられる。透明基板３１は、１つの基材から構成される単層構造体であってもよいし、２つ以上の基材が重ねられた多層構造体であってもよい。
【００３７】
透明基板３１における表示パネル１０とは反対側の面は、ドライブ電極面３１Ｓとして設定され、ドライブ電極面３１Ｓには、複数のドライブ電極３１ＤＰが配置されている。複数のドライブ電極３１ＤＰ、および、ドライブ電極面３１Ｓにおいてドライブ電極３１ＤＰが位置しない部分は、１つの透明接着層３２によって透明誘電体基板３３に貼り合わされている。
【００３８】
透明接着層３２は、表示面に表示される画像などの情報を透過する光透過性を有し、透明接着層３２には、例えば、ポリエーテル系接着剤やアクリル系接着剤などが用いられる。
【００３９】
透明誘電体基板３３は、表示面に表示される画像などの情報を透過する光透過性と、電極間における静電容量の検出に適した比誘電率とを有する。透明誘電体基板３３は、例えば、透明ガラス基板や、透明樹脂フィルムや、シリコン基板などの基材から構成される。透明誘電体基板３３に用いられる樹脂としては、例えば、ＰＥＴ、ＰＭＭＡ、ＰＰ、ＰＳなどが挙げられる。透明誘電体基板３３は、１つの基材から構成される単層構造体であってもよいし、２つ以上の基材が重ねられた多層構造体であってもよい。
【００４０】
複数のドライブ電極３１ＤＰが透明接着層３２によって透明誘電体基板３３に貼り合わされる結果、透明誘電体基板３３における透明基板３１と向かい合う面である裏面には、複数のドライブ電極３１ＤＰが並んでいる。
【００４１】
透明誘電体基板３３における透明接着層３２とは反対側の面である表面は、センシング電極面３３Ｓとして設定され、センシング電極面３３Ｓには、複数のセンシング電極３３ＳＰが配置されている。すなわち、透明誘電体基板３３は、複数のドライブ電極３１ＤＰと、複数のセンシング電極３３ＳＰとに挟まれている。複数のセンシング電極３３ＳＰ、および、センシング電極面３３Ｓにおいてセンシング電極３３ＳＰが位置しない部分は、１つの透明接着層２３によってカバー層２２に貼り合わされている。
【００４２】
透明接着層２３は、表示面に表示される画像などの情報を透過する光透過性を有し、透明接着層２３には、例えば、ポリエーテル系接着剤やアクリル系接着剤などが用いられる。透明接着層２３として用いられる接着剤の種類は、ウェットラミネート接着剤であってもよいし、ドライラミネート接着剤やホットラミネート接着剤であってもよい。
【００４３】
カバー層２２は、強化ガラスなどのガラス基板や樹脂フィルムなどから形成され、カバー層２２における透明接着層２３とは反対側の面は、タッチパネル２０における表面であって操作面２０Ｓとして機能する。
【００４４】
なお、上記構成要素のうち、透明接着層２３は割愛されてもよい。透明接着層２３の省略される構成においては、カバー層２２が有する面のなかで透明誘電体基板３３と対向する面がセンシング電極面３３Ｓとして設定され、センシング電極面３３Ｓに形成される１つの薄膜のパターニングによって、複数のセンシング電極３３ＳＰが形成されればよい。
【００４５】
また、タッチパネル２０の製造に際しては、導電性フィルム２１とカバー層２２とが、透明接着層２３によって貼り合わされる方法が採用されてもよいし、こうした製造方法とは異なる他の例として、以下の製造方法が採用されてもよい。すなわち、樹脂フィルムなどのカバー層２２に、銅などの導電性金属から構成される薄膜層が直に、もしくは、下地層を介して形成され、薄膜層の上にセンシング電極３３ＳＰのパターン形状を有したレジスト層が形成される。次いで、塩化第二鉄などを用いたウェットエッチング法によって、薄膜層が複数のセンシング電極３３ＳＰに加工されて、第１のフィルムが得られる。また、センシング電極３３ＳＰと同様に、透明基板３１として機能する他の樹脂フィルムに形成された薄膜層が複数のドライブ電極３１ＤＰに加工されて、第２のフィルムが得られる。そして、第１フィルムと第２フィルムとが透明誘電体基板３３を挟むように、透明誘電体基板３３に対して透明接着層２３，３２によって貼り付けられる。
【００４６】
［導電性フィルムの平面構造］
図２を参照して、センシング電極３３ＳＰとドライブ電極３１ＤＰとの位置関係を中心に、導電性フィルム２１の平面構造について説明する。なお、図２は、透明誘電体基板３３の表面と対向する方向から導電性フィルム２１を見た図であり、二点鎖線で囲まれた横方向に沿って延びる帯状領域の各々は、１つのセンシング電極３３ＳＰが配置される領域を示し、二点鎖線で囲まれた縦方向に沿って延びる帯状領域の各々は、１つのドライブ電極３１ＤＰが配置される領域を示している。なお、センシング電極３３ＳＰおよびドライブ電極３１ＤＰの数は簡略化して示している。
【００４７】
また、センシング電極３３ＳＰとドライブ電極３１ＤＰとの構成を理解しやすくするために、図２にて最も上側に位置するセンシング電極３３ＳＰについてのみ、センシング電極３３ＳＰを構成するセンシング電極線を太線で示し、図２にて最も左側に位置するドライブ電極３１ＤＰについてのみ、ドライブ電極３１ＤＰを構成するドライブ電極線を細線で示している。なお、図２においては、センシング電極線の形状とドライブ電極線の形状とを、模式的に示している。
【００４８】
図２が示すように、透明誘電体基板３３のセンシング電極面３３Ｓにおいて、複数のセンシング電極３３ＳＰの各々は、１つの方向である第１電極方向Ｄ１に沿って延びる帯形状を有し、かつ、第１電極方向Ｄ１と直交する第２電極方向Ｄ２に沿って並んでいる。各センシング電極３３ＳＰは、隣り合う他のセンシング電極３３ＳＰと互いに絶縁されている。
【００４９】
各センシング電極３３ＳＰは、複数のセンシング電極線３３ＳＲから構成され、センシング電極面３３Ｓには、これら複数のセンシング電極線３３ＳＲすべての集合であるセンシング電極線群３３ＳＧが配置されている。センシング電極線３３ＳＲの形成材料には、銅や銀やアルミニウムなどの金属膜が用いられ、センシング電極線３３ＳＲは、例えば、センシング電極面３３Ｓに成膜された金属膜がエッチングによってパターニングされることにより形成される。複数のセンシング電極３３ＳＰの各々は、センシングパッド３３Ｐを介して個別にタッチパネル２０の周辺回路の一例である検出回路に接続され、検出回路によって電流値を測定される。
【００５０】
透明基板３１のドライブ電極面３１Ｓにおいて、複数のドライブ電極３１ＤＰの各々は、第２電極方向Ｄ２に沿って延びる帯形状を有し、かつ、第１電極方向Ｄ１に沿って並んでいる。各ドライブ電極３１ＤＰは、隣り合う他のドライブ電極３１ＤＰと互いに絶縁されている。
【００５１】
各ドライブ電極３１ＤＰは、複数のドライブ電極線３１ＤＲから構成され、ドライブ電極面３１Ｓには、これら複数のドライブ電極線３１ＤＲすべての集合であるドライブ電極線群３１ＤＧが配置されている。ドライブ電極線３１ＤＲの形成材料には、銅や銀やアルミニウムなどの金属膜が用いられ、ドライブ電極線３１ＤＲは、例えば、ドライブ電極面３１Ｓに成膜された金属膜がエッチングによってパターニングされることにより形成される。複数のドライブ電極３１ＤＰの各々は、ドライブパッド３１Ｐを介して個別にタッチパネル２０の周辺回路の一例である選択回路に接続され、選択回路が出力する駆動信号を受けることによって選択回路に選択される。
【００５２】
透明誘電体基板３３の表面と対向する平面視において、センシング電極３３ＳＰとドライブ電極３１ＤＰとが相互に重なる部分は、図２の二点鎖線によって区画される四角形状を有した容量検出部ＮＤである。１つの容量検出部ＮＤは、１つのセンシング電極３３ＳＰと、１つのドライブ電極３１ＤＰとが立体的に交差する部分であって、タッチパネル２０において使用者の指などが触れている位置を検出することの可能な最小の単位である。
【００５３】
なお、センシング電極線３３ＳＲおよびドライブ電極線３１ＤＲの形成方法としては、上述のエッチングに限らず、例えば印刷法などの他の方法が用いられてもよい。
【００５４】
［表示パネルの平面構造］
図３を参照して、表示パネル１０におけるカラーフィルタ層１５の平面構造、すなわち、表示パネル１０の画素配列について説明する。
図３が示すように、カラーフィルタ層１５のブラックマトリクス１５ａは、上記第１電極方向Ｄ１と上記第２電極方向Ｄ２とに沿って並ぶ矩形形状を有した複数の単位格子から構成される格子パターンを有している。１つの画素１５Ｐは、第１電極方向Ｄ１に沿って連続する３つの単位格子から構成され、複数の画素１５Ｐは、第１電極方向Ｄ１、および、第２電極方向Ｄ２に沿って格子状に並んでいる。
【００５５】
複数の画素１５Ｐの各々は、赤色を表示するための赤色着色層１５Ｒ、緑色を表示するための緑色着色層１５Ｇ、および、青色を表示するための青色着色層１５Ｂから構成されている。カラーフィルタ層１５において、例えば、赤色着色層１５Ｒ、緑色着色層１５Ｇ、および、青色着色層１５Ｂが、第１電極方向Ｄ１に沿って、この順で、繰り返し並んでいる。また、複数の赤色着色層１５Ｒは、第２電極方向Ｄ２に沿って連続して並び、複数の緑色着色層１５Ｇは、第２電極方向Ｄ２に沿って連続して並び、複数の青色着色層１５Ｂは、第２電極方向Ｄ２に沿って連続して並んでいる。
【００５６】
１つの赤色着色層１５Ｒ、１つの緑色着色層１５Ｇ、および、１つの青色着色層１５Ｂは、１つの画素１５Ｐを構成し、複数の画素１５Ｐは、第１電極方向Ｄ１における赤色着色層１５Ｒ、緑色着色層１５Ｇ、および、青色着色層１５Ｂの並ぶ順番を維持した状態で、第１電極方向Ｄ１に沿って並んでいる。また、換言すれば、複数の画素１５Ｐは、第２電極方向Ｄ２に沿って延びるストライプ状に配置されている。
【００５７】
画素１５Ｐにおける第１電極方向Ｄ１に沿った幅が第１画素幅Ｐ１であり、画素１５Ｐにおける第２電極方向Ｄ２に沿った幅が第２画素幅Ｐ２である。第１画素幅Ｐ１、および、第２画素幅Ｐ２の各々は、表示パネル１０の大きさや表示パネル１０に求められる解像度などに応じた値に設定される。
【００５８】
［タッチパネルの電気的構成］
図４を参照して、タッチパネル２０の電気的構成を、表示装置１００の備える制御部の機能とともに説明する。なお、以下では、静電容量方式のタッチパネル２０の一例として、相互容量方式のタッチパネル２０における電気的構成を説明する。
【００５９】
図４が示すように、タッチパネル２０は、周辺回路として、選択回路３４および検出回路３５を備えている。選択回路３４は、複数のドライブ電極３１ＤＰに接続され、検出回路３５は、複数のセンシング電極３３ＳＰに接続され、表示装置１００の備える制御部３６は、選択回路３４と検出回路３５とに接続されている。
【００６０】
制御部３６は、各ドライブ電極３１ＤＰに対する駆動信号の生成を選択回路３４に開始させるための開始タイミング信号を生成して出力する。制御部３６は、駆動信号が供給される対象を１番目のドライブ電極３１ＤＰ１からｎ番目のドライブ電極３１ＤＰｎに向けて選択回路３４に順次走査させるための走査タイミング信号を生成して出力する。
【００６１】
制御部３６は、各センシング電極３３ＳＰを流れる電流の検出を検出回路３５に開始させるための開始タイミング信号を生成して出力する。制御部３６は、検出の対象を１番目のセンシング電極３３ＳＰ１からｎ番目のセンシング電極３３ＳＰｎに向けて検出回路３５に順次走査させるための走査タイミング信号を生成して出力する。
【００６２】
選択回路３４は、制御部３６の出力した開始タイミング信号に基づいて、駆動信号の生成を開始し、制御部３６の出力した走査タイミング信号に基づいて、駆動信号の出力先を１番目のドライブ電極３１ＤＰ１からｎ番目のドライブ電極３１ＤＰｎに向けて走査する。
【００６３】
検出回路３５は、信号取得部３５ａと信号処理部３５ｂとを備えている。信号取得部３５ａは、制御部３６の出力した開始タイミング信号に基づいて、各センシング電極３３ＳＰに生成されたアナログ信号である電流信号の取得を開始する。そして、信号取得部３５ａは、制御部３６の出力した走査タイミング信号に基づいて、電流信号の取得元を１番目のセンシング電極３３ＳＰ１からｎ番目のセンシング電極３３ＳＰｎに向けて走査する。
【００６４】
信号処理部３５ｂは、信号取得部３５ａの取得した各電流信号を処理して、デジタル値である電圧信号を生成し、生成された電圧信号を制御部３６に向けて出力する。このように、選択回路３４と検出回路３５とは、静電容量の変化に応じて変わる電流信号から電圧信号を生成することによって、ドライブ電極３１ＤＰとセンシング電極３３ＳＰとの間の静電容量の変化を測定する。
【００６５】
制御部３６は、信号処理部３５ｂの出力した電圧信号に基づいて、タッチパネル２０において使用者の指などが触れている位置を検出し、検出した位置の情報を、表示パネル１０の表示面に表示される情報の生成などの各種の処理に利用する。なお、タッチパネル２０は、上述した相互容量方式のタッチパネル２０に限らず、自己容量方式のタッチパネルであってもよい。
【００６６】
［センシング電極線群の構成］
図５を参照して、センシング電極線群３３ＳＧの構成について説明する。
図５が示すように、複数のセンシング電極線３３ＳＲの各々は、直線状の部分の連なりからなる屈曲線形状を有している。各センシング電極線３３ＳＲは、全体として第１電極方向Ｄ１に沿って延び、複数のセンシング電極線３３ＳＲは、第２電極方向Ｄ２に沿って間隔を空けて並べられている。１つのセンシング電極３３ＳＰを構成する複数のセンシング電極線３３ＳＲの各々は、第１電極方向Ｄ１における一方の端部にてセンシングパッド３３Ｐに接続されている。
【００６７】
詳細には、複数のセンシング電極線３３ＳＲの各々は、第１電極方向Ｄ１に対して傾斜した方向に延びる複数の傾斜部３３Ｅと、２つの傾斜部３３Ｅの端部同士を繋ぐ複数の中継部３３Ｑとを有している。傾斜部３３Ｅと中継部３３Ｑとはいずれも直線状を有し、中継部３３Ｑは、第１電極方向Ｄ１に沿って延びている。そして、傾斜部３３Ｅと中継部３３Ｑとはセンシング電極線３３ＳＲに沿って交互に配置されている。
【００６８】
複数の傾斜部３３Ｅの各々は、センシング電極線３３ＳＲに沿って基端から先端に向けて延び、傾斜部３３Ｅの延びる方向に沿って長さＬ１を有している。複数の傾斜部３３Ｅにおいて、長さＬ１は一定である。また、複数の傾斜部３３Ｅは、第１電極方向Ｄ１に沿って延びる直線である基軸線Ａ１に対して角度＋θ１の傾きを有する傾斜部３３Ｅａと、基軸線Ａ１に対して角度−θ１の傾きを有する傾斜部３３Ｅａとから構成され、傾斜部３３Ｅａと傾斜部３３Ｅｂとは第１電極方向Ｄ１に沿って交互に並んでいる。すなわち、複数の傾斜部３３Ｅにおいて、基軸線Ａ１に対する各傾斜部３３Ｅの傾きの絶対値は一定であり、１つのセンシング電極線３３ＳＲにおいては、上記傾きが正である傾斜部３３Ｅと、上記傾きが負である傾斜部３３Ｅとが、第１電極方向Ｄ１に沿って交互に繰り返されている。そして、傾斜部３３Ｅａと傾斜部３３Ｅｂとの間に中継部３３Ｑが位置し、中継部３３Ｑは、第１電極方向Ｄ１に沿って互いに隣り合う２つの傾斜部３３Ｅの一方の先端と他方の基端とを繋いでいる。
【００６９】
中継部３３Ｑにおける、その延びる方向に沿った長さは中継長Ｌｓであり、複数の中継部３３Ｑにおいて中継長Ｌｓは一定である。互いに隣り合う傾斜部３３Ｅと中継部３３Ｑとのなす角、すなわち、互いに接続された傾斜部３３Ｅと中継部３３Ｑとのなす角の角度は隣接角度γｓであり、隣接角度γｓは９０°よりも大きい。すなわち、互いに隣り合う傾斜部３３Ｅと中継部３３Ｑとのなす角は鈍角である。傾斜部３３Ｅａと中継部３３Ｑとの間の隣接角度γｓと傾斜部３３Ｅｂと中継部３３Ｑとの間の隣接角度γｓとは等しく、１つのセンシング電極線３３ＳＲにおいて隣接角度γｓは一定である。
【００７０】
中継部３３Ｑと中継部３３Ｑに接続された傾斜部３３Ｅの端部付近とが屈曲線形状の屈曲部分を構成しており、図中山部に相当する屈曲部分と、図中谷部に相当する屈曲部分とが、センシング電極線３３ＳＲに沿って１つずつ交互に並んでいる。
複数のセンシング電極線３３ＳＲの各々は、１つのセンシング電極線３３ＳＲが第２電極方向Ｄ２に沿って並進された形状を有している。
【００７１】
ここで、傾斜部３３Ｅ上を通って延びる仮想的な直線が仮想線Ｋ１であり、１つの中継部３３Ｑを挟む２つの傾斜部３３Ｅの各々に対して設定される仮想線Ｋ１の交点が仮想交点３３ＫＰである。換言すれば、仮想交点３３ＫＰは、１つの中継部３３Ｑの両端に繋がる２つの傾斜部３３Ｅの各々の延長線の交点である。
【００７２】
１つの中継部３３Ｑの両端に繋がる２つの傾斜部３３Ｅの各々に対して設定される仮想線Ｋ１のなす角の角度は、屈曲角度αｓであり、１つのセンシング電極線３３ＳＲにおいて、屈曲角度αｓは一定である。また、屈曲角度αｓは、仮想交点３３ＫＰを通って第２電極方向Ｄ２に沿った方向に延びる直線によって、二等分される。
【００７３】
１つのセンシング電極線３３ＳＲに対し、第２電極方向Ｄ２の一方側に位置する複数の仮想交点３３ＫＰは、第１電極方向Ｄ１に沿って延びる直線上に位置し、第２電極方向Ｄ２の他方側に位置する複数の仮想交点３３ＫＰもまた、第１電極方向Ｄ１に沿って延びる直線上に位置する。
【００７４】
上記第２電極方向Ｄ２の一方側もしくは他方側にて、第１電極方向Ｄ１に沿って隣り合う仮想交点３３ＫＰ間の距離が屈曲周期Ｗｓであり、１つのセンシング電極線３３ＳＲに対して設定される複数の仮想交点３３ＫＰにおいて、屈曲周期Ｗｓは一定である。
【００７５】
また、センシング電極線３３ＳＲに沿って互いに隣り合う２つの仮想交点３３ＫＰ、すなわち、上記第２電極方向Ｄ２の一方側に位置する仮想交点３３ＫＰと、第２電極方向Ｄ２の他方側に位置する仮想交点３３ＫＰとの間の第１電極方向Ｄ１に沿った最大の長さが交点間距離Ｔｓである。第１実施形態においては、センシング電極線３３ＳＲに沿って互いに隣り合う２つの仮想交点３３ＫＰ間の第１電極方向Ｄ１に沿った長さはいずれも等しく、この長さが交点間距離Ｔｓであり、交点間距離Ｔｓは、屈曲周期Ｗｓの２分の１の長さである。センシング電極線３３ＳＲにおいて、中継部３３Ｑの中継長Ｌｓは、交点間距離Ｔｓの０．２倍以下の長さであることが好ましい。
【００７６】
また、第２電極方向Ｄ２の一方側に位置する仮想交点３３ＫＰと、第２電極方向Ｄ２の他方側に位置する仮想交点３３ＫＰとの間の、第２電極方向Ｄ２に沿った最大の長さが屈曲幅Ｈｓである。第１実施形態においては、第２電極方向Ｄ２の一方側に位置する仮想交点３３ＫＰと、第２電極方向Ｄ２の他方側に位置する仮想交点３３ＫＰとの間の第２電極方向Ｄ２に沿った長さはいずれも等しく、この長さが屈曲幅Ｈｓである。換言すれば、屈曲幅Ｈｓは、上記第２電極方向Ｄ２の一方側の複数の仮想交点３３ＫＰが位置する直線と、上記第２電極方向Ｄ２の他方側の複数の仮想交点３３ＫＰが位置する直線との間の第２電極方向Ｄ２に沿った長さである。
【００７７】
複数のセンシング電極線３３ＳＲは、第２電極方向Ｄ２に沿って、一定の間隔である電極線間隔Ｐｓをあけて並んでいる。すなわち、電極線間隔Ｐｓは、互いに隣り合うセンシング電極線３３ＳＲに対して設定される仮想交点３３ＫＰのうち、第２電極方向Ｄ２に沿って延びる直線上に位置して隣り合う仮想交点３３ＫＰ間の距離である。
【００７８】
［ドライブ電極線群の構成］
図６を参照して、ドライブ電極線群３１ＤＧの構成について説明する。
図６が示すように、ドライブ電極線３１ＤＲは、透明誘電体基板３３の表面と対向する方向から見て、センシング電極線３３ＳＲを９０度回転させた形状を有している。
【００７９】
すなわち、各ドライブ電極線３１ＤＲは、全体として第２電極方向Ｄ２に沿って延び、複数のドライブ電極線３１ＤＲは、第１電極方向Ｄ１に沿って間隔を空けて並べられている。１つのドライブ電極３１ＤＰを構成する複数のドライブ電極線３１ＤＲの各々は、第２電極方向Ｄ２における一方の端部にてドライブパッド３１Ｐに接続されている。
【００８０】
複数のドライブ電極線３１ＤＲの各々は、第２電極方向Ｄ２に対して傾斜した方向に延びる複数の傾斜部３１Ｅと、２つの傾斜部３１Ｅの端部同士を繋ぐ複数の中継部３１Ｑとを有している。傾斜部３１Ｅと中継部３１Ｑとはいずれも直線状を有し、中継部３１Ｑは、第２電極方向Ｄ２に沿って延びている。そして、傾斜部３１Ｅと中継部３１Ｑとはドライブ電極線３１ＤＲに沿って交互に配置されている。複数のドライブ電極線３１ＤＲの各々は、１つのドライブ電極線３１ＤＲが第１電極方向Ｄ１に沿って並進された形状を有している。
【００８１】
複数の傾斜部３１Ｅの各々は、ドライブ電極線３１ＤＲに沿って基端から先端に向けて延び、傾斜部３１Ｅの延びる方向に沿って長さＬ２を有している。複数の傾斜部３１Ｅにおいて長さＬ２は一定であり、長さＬ２は、センシング電極線３３ＳＲにおける傾斜部３３Ｅの長さＬ１と等しい。複数の傾斜部３１Ｅにおいて、第２電極方向Ｄ２に沿って延びる直線である基軸線Ａ２に対する各傾斜部３１Ｅの傾きの絶対値は一定であり、１つのドライブ電極線３１ＤＲにおいては、上記傾きが正である傾斜部３１Ｅと、上記傾きが負である傾斜部３１Ｅとが、第１電極方向Ｄ１に沿って交互に繰り返されている。傾斜部３１Ｅの基軸線Ａ２に対する傾きの絶対値は、センシング電極線３３ＳＲにおける傾斜部３３Ｅの基軸線Ａ１に対する傾きの絶対値と等しい。
【００８２】
中継部３１Ｑは、第２電極方向Ｄ２に沿って互いに隣り合う２つの傾斜部３１Ｅの一方の先端と他方の基端とを繋いでいる。中継部３１Ｑにおける、その延びる方向に沿った長さである中継長Ｌｄは、複数の中継部３１Ｑにおいて一定であり、センシング電極線３３ＳＲにおける中継部３３Ｑの中継長Ｌｓと等しい。互いに隣り合う傾斜部３１Ｅと中継部３１Ｑとのなす角である隣接角度γｄは９０°よりも大きく、１つのドライブ電極線３１ＤＲにおいて隣接角度γｄは一定であって、センシング電極線３３ＳＲにおける隣接角度γｓと等しい。
【００８３】
傾斜部３１Ｅ上を通って延びる仮想的な直線が仮想線Ｋ２であり、１つの中継部３１Ｑを挟む２つの傾斜部３１Ｅの各々に対して設定される仮想線Ｋ２の交点、すなわち、１つの中継部３１Ｑの両端に繋がる２つの傾斜部３１Ｅの各々の延長線の交点が、仮想交点３１ＫＰである。これら２つの傾斜部３１Ｅの各々に対して設定される仮想線Ｋ２のなす角の角度である屈曲角度αｄは、各ドライブ電極線３１ＤＲにおいて一定である。
【００８４】
１つのドライブ電極線３１ＤＲに対し、第１電極方向Ｄ１の一方側に位置する複数の仮想交点３１ＫＰは、第２電極方向Ｄ２に沿って延びる直線上に位置し、第１電極方向Ｄ１の他方側に位置する複数の仮想交点３１ＫＰもまた、第２電極方向Ｄ２に沿って延びる直線上に位置する。
【００８５】
上記第１電極方向Ｄ１の一方側もしくは他方側にて、第２電極方向Ｄ２に沿って隣り合う仮想交点３１ＫＰ間の距離である屈曲周期Ｗｄは、１つのドライブ電極線３１ＤＲに対して設定される複数の仮想交点３１ＫＰにおいて一定である。また、ドライブ電極線３１ＤＲに沿って互いに隣り合う２つの仮想交点３１ＫＰ間の第２電極方に沿った長さはいずれも等しく、この長さが交点間距離Ｔｄであり、交点間距離Ｔｄは、屈曲周期Ｗｄの２分の１の長さである。ドライブ電極線３１ＤＲにおいても、中継部３１Ｑの中継長Ｌｄは、交点間距離Ｔｄの０．２倍以下の長さであることが好ましい。
【００８６】
また、第１電極方向Ｄ１の一方側に位置する仮想交点３１ＫＰと、第１電極方向Ｄ１の他方側に位置する仮想交点３１ＫＰとの間の、第１電極方向Ｄ１に沿った長さは一定であり、この長さが屈曲幅Ｈｄである。
【００８７】
互いに隣り合うドライブ電極線３１ＤＲに対して設定される仮想交点３１ＫＰのうち、第１電極方向Ｄ１に沿って延びる直線上に位置して隣り合う仮想交点３１ＫＰ間の距離は電極線間隔Ｐｄであり、複数のドライブ電極線３１ＤＲは、第１電極方向Ｄ１に沿って、電極線間隔Ｐｄである一定の間隔をあけて並んでいる。
【００８８】
屈曲角度αｄは、センシング電極線３３ＳＲにおける屈曲角度αｓと等しく、屈曲周期Ｗｄは、センシング電極線３３ＳＲにおける屈曲周期Ｗｓと等しく、交点間距離Ｔｄは、センシング電極線３３ＳＲにおける交点間距離Ｔｓと等しく、屈曲幅Ｈｄは、センシング電極線３３ＳＲにおける屈曲幅Ｈｓと等しく、電極線間隔Ｐｄは、センシング電極線３３ＳＲに対する電極線間隔Ｐｓと等しい。
【００８９】
［導電性フィルムの詳細構造］
図７を参照して、センシング電極線群３３ＳＧとドライブ電極線群３１ＤＧとが重ね合わされることによって形成されるパターンである電極線パターンについて説明する。
【００９０】
図７が示すように、導電性フィルム２１では、透明誘電体基板３３の表面と対向する方向から見て、上述の複数のセンシング電極線３３ＳＲから構成されるパターンと、複数のドライブ電極線３１ＤＲから構成されるパターンとが重ね合わされたパターンが形成されている。このとき、センシング電極３３ＳＰとドライブ電極３１ＤＰとが直交するように、すなわち、センシング電極線３３ＳＲの延びる方向とドライブ電極線３１ＤＲの延びる方向とが直交するように、これらの電極線が重ねられている。
【００９１】
センシング電極線３３ＳＲにおける複数の中継部３３Ｑの少なくとも一部は、ドライブ電極線３１ＤＲ間の隙間と対向し、ドライブ電極線３１ＤＲにおける複数の中継部３１Ｑの少なくとも一部は、センシング電極線３３ＳＲ間の隙間と対向している。そして、複数のセンシング電極線３３ＳＲと複数のドライブ電極線３１ＤＲとによって、長さや傾きの様々な直線で囲まれる複数種類の形状の図形が第１電極方向Ｄ１と第２電極方向Ｄ２とに並ぶ網目状のパターンが形成されている。
【００９２】
［電極線パターンの条件］
図８〜図１３を参照して、上述の屈曲角度αｓ，αｄ、屈曲周期Ｗｓ，Ｗｄ、交点間距離Ｔｓ，Ｔｄ、屈曲幅Ｈｓ，Ｈｄ、電極線間隔Ｐｓ，Ｐｄの設定の条件、および、交点間距離Ｔｓ，Ｔｄに対する中継長Ｌｄ，Ｌｓの比の規定理由について説明する。
【００９３】
以下では、センシング電極線３３ＳＲを例示して説明するが、ドライブ電極線３１ＤＲについても、センシング電極線３３ＳＲの場合と同様の条件によって同様の作用が生じ、同様の効果が得られる。
【００９４】
センシング電極線３３ＳＲは、図８に示す周期的な折れ線形状を有するセンシング基準電極線４０ＫＲを基として、センシング基準電極線４０ＫＲの屈曲部分を構成する線分を頂点の手前で直線状に繋ぐことにより得られる形状を有する。すなわち、センシング基準電極線４０ＫＲは、上述の仮想交点３３ＫＰにて屈曲する折れ線形状を有する。
【００９５】
詳細には、複数のセンシング基準電極線４０ＫＲの各々は、直線形状を有する複数の基準短線部４０Ｅが、互いに隣り合う基準短線部４０Ｅの接続される部分である基準屈曲部４０Ｑを介して連なり、第１電極方向Ｄ１に沿って延びる折れ線形状を有する。センシング基準電極線４０ＫＲにおける基準屈曲部４０Ｑの位置が、このセンシング基準電極線４０ＫＲに基づいて作成されたセンシング電極線３３ＳＲにおける仮想交点３３ＫＰの位置に相当する。
【００９６】
各基準短線部４０Ｅは、基準短線部４０Ｅの延びる方向に沿って一定の長さＬｋを有している。基準短線部４０Ｅの基軸線Ａ１に対する傾きは、センシング電極線３３ＳＲにおける傾斜部３３Ｅの基軸線Ａ１に対する傾きと一致する。互いに隣り合う２つの基準短線部４０Ｅのなす角の角度は、基準角度Ｋαｓであって、基準角度Ｋαｓは上述の屈曲角度αｓと一致する。第１電極方向Ｄ１に沿って隣り合う基準屈曲部４０Ｑの間の長さは、基準周期ＫＷｓであって、基準周期ＫＷｓは上述の屈曲周期Ｗｓと一致する。センシング基準電極線４０ＫＲに沿って隣り合う基準屈曲部４０Ｑの間の長さ、すなわち、基準周期ＫＷｓの２分の１の長さは、基準交点距離ＫＴｓであって、上述の交点間距離Ｔｓと一致する。
【００９７】
また、第２電極方向Ｄ２において１つのセンシング基準電極線４０ＫＲが占める幅、すなわち、センシング基準電極線４０ＫＲに沿って隣接する基準屈曲部４０Ｑ間の第２電極方向Ｄ２に沿った長さは、基準幅ＫＨｓであって、基準幅ＫＨｓは上述の屈曲幅Ｈｓと一致する。そして、互いに隣り合うセンシング基準電極線４０ＫＲにおいて、第２電極方向Ｄ２に沿って並ぶ基準屈曲部４０Ｑ間の長さは、基準間隔ＫＰｓであって、基準間隔ＫＰｓは上述の電極線間隔Ｐｓと一致する。
【００９８】
基準角度Ｋαｓ、基準周期ＫＷｓ、基準交点距離ＫＴｓ、基準幅ＫＨｓ、および、基準間隔ＫＰｓの各パラメータは、フーリエ解析を利用して、複数のセンシング基準電極線４０ＫＲからなるパターンと表示パネル１０の画素パターンとを重ね合わせたときに、モアレの発生が抑えられる値に設定されることが好ましい。具体的には、複数のセンシング基準電極線４０ＫＲからなるパターンを所定周期の画素パターンと重ね合わせたときに生じるモアレのコントラストや、モアレとして視認される縞のピッチおよび角度を算出し、モアレが視認され難くなるように、各パラメータの値が設定される。このとき、互いに異なるサイズや互いに異なる解像度の複数の表示パネル１０が有する画素パターンに対し、共通してモアレの発生が抑えられる各パラメータの値が求められることが好ましい。重ね合わせの対象となる複数の表示パネル１０は、少なくとも、互いに異なるサイズを有する２種類の表示パネル、もしくは、互いに異なる解像度を有する２種類の表示パネルを含んでいればよい。
【００９９】
フーリエ解析では、重ね合わされるパターンに対してフーリエ変換を行って周波数情報を取得し、得られた二次元フーリエパターンの畳み込み（Ｃｏｎｖｏｌｕｔｉｏｎ）を計算した上で、２次元マスクをかけて、逆フーリエ変換によって画像の再構成を行う。モアレのピッチは、重ね合わされる元のパターンの周期より大きいため、上記２次元マスクは、２次元マスクによって高周波成分が取り除かれ、低周波成分のみが取り出されるようにかければよい。マスクの大きさを、人間の視覚応答特性に応じて決まるサイズに設定することによって、画像の再構成後に、モアレのコントラストやピッチや角度を算出することに基づき、視認されるモアレの程度を判断できる。
【０１００】
基準間隔ＫＰｓは、表示パネル１０における第１画素幅Ｐ１および第２画素幅Ｐ２の１０％以上６００％以下の範囲で設定されることが好ましい。第１画素幅Ｐ１と第２画素幅Ｐ２とが異なる場合には、第１画素幅Ｐ１および第２画素幅Ｐ２のうちの大きい方の画素幅が基準とされればよい。
【０１０１】
基準間隔ＫＰｓが第１画素幅Ｐ１および第２画素幅Ｐ２の１０％以上であれば、パターン内にて電極線の占める割合が過剰になりすぎないため、タッチパネル２０における光の透過率の低下が抑えられる。一方、基準間隔ＫＰｓが第１画素幅Ｐ１および第２画素幅Ｐ２の６００％以下であれば、タッチパネルにおける位置の検出精度が高められる。
【０１０２】
基準幅ＫＨｓは、上述のように設定された基準間隔ＫＰｓに対する基準幅ＫＨｓの比である占有比ＫＨｓ／ＫＰｓが、０．７以上１．３以下となる範囲で設定されることが好ましい。
この占有比ＫＨｓ／ＫＰｓの範囲の規定理由について、図９および図１０を参照して説明する。
【０１０３】
図９は、図８に示した複数のセンシング基準電極線４０ＫＲから構成されるパターンの一例を、ＦＦＴ（Ｆａｓｔ  Ｆｏｕｒｉｅｒ  Ｔｒａｎｓｆｏｒｍａｔｉｏｎ）によって解析した結果であって、複数のセンシング基準電極線４０ＫＲから構成されるパターンの二次元フーリエ変換によるパワースペクトルを示す。図１０は、特徴的なピークを強調して示しており、センシング基準電極線４０ＫＲのパターンと関連の低い微弱な点は割愛されている。
【０１０４】
図中の原点は直流成分のピークを示し、２次元の周波数空間には、基準角度Ｋαｓと基準周期ＫＷｓとによって規定される基本空間周波数成分ｆ１，ｆ２と、高次成分とが現れている。また、図中にて、基本空間周波数成分ｆ１の左右、および、基本空間周波数成分ｆ２の左右には、基準周期ＫＷｓに起因する周波数成分が現れている。
【０１０５】
ここで、基本空間周波数成分ｆ１と基本空間周波数成分ｆ２との間には、ｖ方向のみの空間周波数である周波数成分ｇが現れる。周波数成分ｇは、基準間隔ＫＰｓに起因して発生する周波数成分であって、センシング基準電極線４０ＫＲのパターンに含まれる第２電極方向Ｄ２のみの周期性に由来する。周波数成分ｇの強度が高いことは、センシング基準電極線４０ＫＲのパターンにて第１電極方向Ｄ１に延びる要素の周波数成分が大きいことを示し、この場合、同じく第１電極方向Ｄ１に延びる表示パネル１０の画素パターンとセンシング基準電極線４０ＫＲのパターンとを重ね合わせたときに、これらのパターンが干渉して、コントラストの高いモアレが発生し易くなる。
【０１０６】
図１０は、基準幅ＫＨｓ、および、占有比ＫＨｓ／ＫＰｓを変化させたとき、ＦＦＴ解析結果における周波数成分ｇの強度がどのように変化するかを解析した結果を示す。すなわち、第１電極方向Ｄ１に沿った、１つのセンシング基準電極線４０ＫＲの占める領域と他のセンシング基準電極線４０ＫＲの占める領域との重なりの程度と、周波数成分ｇの強度との関係を示す。図１０にて、縦軸は、周波数成分ｇの強度を、センシング基準電極線４０ＫＲのパターン全体の直流成分の強度で割った相対値の対数表示を示し、横軸は、占有比ＫＨｓ／ＫＰｓを示す。
【０１０７】
図１０に示されるように、占有比ＫＨｓ／ＫＰｓを０．４から大きくしていくとき、占有比ＫＨｓ／ＫＰｓが０．７を超えると、周波数成分ｇの強度が急激に低下し、占有比ＫＨｓ／ＫＰｓが１．０であるときに、周波数成分ｇの強度は最小となる。そして、占有比ＫＨｓ／ＫＰｓが１．０を超えると、周波数成分ｇの強度が上昇し、占有比ＫＨｓ／ＫＰｓが１．３を超えると、周波数成分ｇの強度は高強度で一定となる。
【０１０８】
したがって、占有比ＫＨｓ／ＫＰｓが０．７以上１．３以下であると、周波数成分ｇの強度が低く抑えられるため、画素パターンとセンシング基準電極線４０ＫＲのパターンとを重ね合わせた場合にモアレが発生しにくく、特に占有比ＫＨｓ／ＫＰｓが１．０であると、周波数成分ｇの強度が最低となるため、最もモアレが発生しにくいことが示唆される。
【０１０９】
基準角度Ｋαｓは、９５度以上１５０度以下であることが好ましく、１００度以上１４０度以下であることがさらに好ましい。基準角度Ｋαｓが９５度以上であると、基準短線部４０Ｅの数が多くなってパターン内で電極線の占める割合が過剰になることが抑えられるため、タッチパネル２０における光の透過率の低下が抑えられる。一方、基準角度Ｋαｓが１５０度以下であると、基準周期ＫＷｓが大きすぎない範囲に保たれるため、基準間隔ＫＰｓと占有比ＫＨｓ／ＫＰｓとを適切な範囲内の値に設定することが容易となる。なお、基準角度Ｋαｓが９０度であると、基準周期ＫＷｓと基準幅ＫＨｓとの比は２：１となり、占有比ＫＨｓ／ＫＰｓが１．０であるときには、基準周期ＫＷｓと基準間隔ＫＰｓとの比が２：１となる。その結果、基準周期ＫＷｓと基準間隔ＫＰｓとの干渉が強くなるため好ましくない。
【０１１０】
すなわち、センシング電極線３３ＳＲにおいて、屈曲角度αｓは、９５度以上１５０度以下であることが好ましく、１００度以上１４０度以下であることがさらに好ましい。また、電極線間隔Ｐｓは、表示パネル１０における第１画素幅Ｐ１および第２画素幅Ｐ２の１０％以上６００％以下の範囲で設定されることが好ましい。また、屈曲幅Ｈｓは、電極線間隔Ｐｓに対する屈曲幅Ｈｓの比（Ｈｓ／Ｐｓ）が、０．７以上１．３以下となる範囲で設定されることが好ましい。
【０１１１】
センシング電極線３３ＳＲは、センシング基準電極線４０ＫＲの屈曲部分の付近の形状を、基準屈曲部４０Ｑの手前にて基準短線部４０Ｅを長さが中継長Ｌｓである線分で繋ぐ形状に変更することによって作成される。この中継長Ｌｓの交点間距離Ｔｓ（基準交点距離ＫＴｓ）に対する割合の規定理由について説明する。
【０１１２】
まず、図１１を参照して、製造過程において局所的な線幅の拡大が生じた電極線の構成について説明する。図１１（ａ）は、理想的な電極線パターンの一例、すなわち、設計上の電極線パターンの一例を示す図であって、図１１（ａ）に示される電極線５０Ｒは、先の図８に示したセンシング基準電極線４０ＫＲと同様の構成を有する。電極線５０Ｒの線幅は、基準短線部４０Ｅに相当する短線部５０Ｅの端部と中央部とで一定であり、すなわち、基準屈曲部４０Ｑに相当する屈曲部５０Ｑの付近でも屈曲部５０Ｑから離れた部分でも、電極線５０Ｒの線幅は変わらない。そして、電極線５０Ｒは屈曲部５０Ｑにて尖った形状を有している。
【０１１３】
図１１（ｂ）は、金属薄膜のエッチングによって、上記電極線５０Ｒを形成しようとした場合に、実際に形成される電極線の形状の一例を模式的に示す図である。上記電極線５０Ｒの屈曲部５０Ｑ付近では、電極線５０Ｒの延びる方向が単位面積において急激に変わるため、こうした屈曲部５０Ｑを形成しようとする際には、屈曲部５０Ｑ付近が形成される予定の部分にてエッチング液の流れに偏りが生じる。結果として、たとえエッチングに用いるマスクの形状としては電極線５０Ｒの形状が精密に再現されていたとしても、実際に形成された電極線６０Ｒでは、屈曲部６０Ｑの付近、すなわち、短線部６０Ｅの端部にて電極線６０Ｒの線幅が太くなり、屈曲部６０Ｑは、理想的な屈曲部５０Ｑよりも主に角部の内側に膨らんだ形状に形成される。
【０１１４】
これに対し、本実施形態のセンシング電極線３３ＳＲにおいては、仮想交点３３ＫＰよりも手前で傾斜部３３Ｅが中継部３３Ｑによって繋がれている。したがって、傾斜部３３Ｅと中継部３３Ｑとのなす角の大きさは、仮想交点３３ＫＰにて２つの仮想線Ｋ１がなす角の大きさ、すなわち、電極線５０Ｒの屈曲部５０Ｑにて２つの短線部５０Ｅがなす角の大きさよりも大きい。具体的には、仮想交点３３ＫＰにて２つの仮想線Ｋ１がなす角の大きさが屈曲角度αｓであることに対し、傾斜部３３Ｅと中継部３３Ｑとのなす角の大きさである隣接角度γｓは、屈曲角度αｓに第１電極方向Ｄ１に対する傾斜部３３Ｅの傾きの角度θ１を加えた大きさとなる。
【０１１５】
それゆえ、センシング電極線３３ＳＲにおいては、上記電極線５０Ｒと比較して、屈曲部分での電極線の延びる方向の単位面積における変化が緩やかであるため、製造過程において屈曲部分の付近で電極線の線幅が局所的に太くなることが抑えられる。その結果、タッチパネル２０の電気的特性における設計値と実測値とにずれが生じることが抑えられる。また、タッチパネル２０の操作面２０Ｓから見て、電極線の線幅が局所的に太くなっている箇所が目立つことも起こりにくいため、操作面２０Ｓから見たタッチパネル２０の外観品質の低下や表示装置１００にて視認される画像の品質の低下も抑えられる。
【０１１６】
なお、電極線の線幅の局所的な拡大を抑える効果を高めるためには、中継部３３Ｑの中継長Ｌｓは、センシング電極線３３ＳＲの線幅の２倍以上の長さであることが好ましい。電極線を形成する際の基準解像は電極線の線幅となるため、中継長Ｌｓが電極線の線幅の２倍以上であれば、電極線の線幅の局所的な拡大を抑えつつセンシング電極線３３ＳＲを形成することができる。
【０１１７】
また、エッチング以外の方法によって電極線が形成される場合にも、電極線５０Ｒの屈曲部５０Ｑ付近のように微小な角部を精密に形成することは困難であるため、エッチングとは異なる製造方法が用いられる場合であっても、上述の効果に準じた効果は得られる。
ここで、センシング電極線３３ＳＲにおける、交点間距離Ｔｓに対する中継部３３Ｑの中継長Ｌｓの比とモアレとの関係について述べる。
【０１１８】
図１２は、理想的な形状の電極線５０Ｒから構成されるパターンと、これらの電極線５０Ｒを形成対象とした場合に実際に形成される形状の電極線６０Ｒから構成されるパターンとの各々を、画素パターンと重ね合わせた場合に生じるモアレについてのシミュレーション結果を示す。モアレは、電極線パターンの周期性と画素パターンの周期性との相対的な関係によって生じる現象であり、特に、電極線パターンにおける電極線間の間隔と画素パターンにおける画素幅との関係は、モアレの発生に影響を与える重要な因子である。したがって、シミュレーションの対象としては、電極線間の間隔と画素幅との比率が相互に異なる６つの試験例を用いた。
【０１１９】
表１に、シミュレーションの対象とした試験例１〜６の各々における電極線パターンと画素パターンとの組み合わせ、および、各試験例１〜６における、画素パターンの画素幅（第１画素幅Ｐ１，第２画素幅Ｐ２）に対する電極線パターンの電極線間の間隔（基準間隔ＫＰｓ，電極線間隔Ｐｓ）の比率を示す。
【０１２０】
電極線パターンとしては、電極線間の間隔が互いに異なる３種類のパターンＡ−１，Ａ−２，Ａ−３を用い、画素パターンとしては、画素幅が互いに異なる２種類のパターンＢ−１，Ｂ−２を用いた。画素パターンＢ−１，Ｂ−２は、一般的なノートパソコンに使用される、例えば１３．３インチ〜１９インチの表示パネルの解像度に相当し、各画素パターンにおいて第１画素幅Ｐ１と第２画素幅Ｐ２とは等しい。
【０１２１】
【表１】
2017211774.tif 000003
【０１２２】
モアレの評価に用いられるモアレコントラストは、モアレの濃淡を表す指標であり、シミュレーションによって得られるモアレの濃度を数値化し、その最大値と最小値との差を、最大値と最小値との和で除することによって算出される値である。図１２においては、理想的な電極線５０Ｒのパターンを用いた場合のモアレコントラストを１として、実際に形成される電極線６０Ｒのパターンを用いた場合のモアレコントラストの比を縦軸に示している。モアレコントラストの値が大きいほど、モアレとして見える縞が濃くなり、モアレが視認されやすくなる。
【０１２３】
図１２に示されるように、いずれの試験例においても、電極線６０Ｒのパターンを用いた場合のモアレコントラストは、理想的な電極線５０Ｒのパターンを用いた場合のモアレコントラストよりも大きく、１．１５倍〜１．４倍程度に上昇している。すなわち、電極線６０Ｒのパターンのように、電極線の線幅が屈曲部分の付近で局所的に太くなるパターンでは、屈曲部分が精密に形成されている電極線のパターンと比較して、モアレが強く視認されることが確認された。これは、電極線の線幅が屈曲部分の付近で局所的に太くなっている場合、線幅の拡大した部分が点状に並ぶように視認されやすくなり、この点状のパターンが、画素パターンと同一方向への周期性を有する周期構造として認識されやすくなるためであると考えられる。
【０１２４】
図１３は、試験例１〜６の各々における電極線パターンと画素パターンとの組み合わせについて、電極線の形状を本実施形態のセンシング電極線３３ＳＲの形状とし、中継部３３Ｑの中継長Ｌｓを変化させた場合に生じるモアレについてのシミュレーション結果を示す。
【０１２５】
図１３においては、上記電極線５０Ｒのパターンを用いた場合のモアレコントラストを１として、本実施形態のセンシング電極線３３ＳＲのパターンを用いた場合のモアレコントラストの比を縦軸に示している。また、図１３においては、各電極線パターンにおける中継部３３Ｑの中継長Ｌｓを、交点間距離Ｔｓに対する比として横軸に示している。交点間距離Ｔｓに対する中継長Ｌｓの比が大きくなるほど、傾斜部３３Ｅの長さＬ１は短くなる。
【０１２６】
なお、図１３においては、各試験例について得られたモアレコントラストと交点間距離Ｔｓに対する中継長Ｌｓの比との関係を、プロットされた点に対する近似曲線とともに示している。
【０１２７】
先の図１２に示したように、屈曲部分の付近で電極線の線幅が局所的に太くなっている電極線６０Ｒのパターンを用いた場合、電極線５０Ｒのパターンを用いた場合に対して、モアレコントラストは１．１５倍〜１．４倍程度に上昇する。図１３が示すように、交点間距離Ｔｓに対する中継長Ｌｓの比が０．２以下であれば、いずれの試験例においても、センシング電極線３３ＳＲのパターンを用いた場合のモアレコントラストは、電極線５０Ｒのパターンを用いた場合のモアレコントラストの１．１倍以下に抑えられる。したがって、中継部３３Ｑの中継長Ｌｓが交点間距離Ｔｓの０．２倍以下の長さであれば、屈曲部分の付近で電極線の線幅が局所的に太くなっている電極線パターンと比較して、モアレが視認されることが抑えられる。
【０１２８】
また、図１３が示すように、交点間距離Ｔｓに対する中継長Ｌｓの比が０．１５以下であれば、各試験例が示す結果の近似曲線において、センシング電極線３３ＳＲのパターンを用いた場合のモアレコントラストは、電極線５０Ｒのパターンを用いた場合のモアレコントラストの１．０３倍以下に抑えられる。また、こうした範囲においては、試験例５などのように、画素パターンと電極線パターンとの関係、すなわち、画素幅Ｐ１，Ｐ２に対する電極線間隔Ｐｓの比率によっては、電極線５０Ｒのパターンを用いた場合よりも、傾斜部３３Ｅと中継部３３Ｑとから構成されるセンシング電極線３３ＳＲのパターンを用いた場合の方が、モアレコントラストが小さくなる。したがって、中継部３３Ｑの中継長Ｌｓが交点間距離Ｔｓの０．１５倍以下の長さであれば、モアレが視認されることがさらに抑えられる。
【０１２９】
ところで、上記センシング電極線３３ＳＲの作成方法では、センシング基準電極線４０ＫＲにおける基準短線部４０Ｅの第１電極方向Ｄ１に対する傾きを変えずに、互いに隣り合う基準短線部４０Ｅを中継長Ｌｓの線分で繋ぐことによってセンシング電極線３３ＳＲの形状を得た。したがって、所定の形状のセンシング基準電極線４０ＫＲからセンシング電極線３３ＳＲを作成する場合において、中継長Ｌｓが長くなるほど、作成されるセンシング電極線３３ＳＲの傾斜部３３Ｅの長さは短くなる一方、中継長Ｌｓが変化しても、傾斜部３３Ｅの第１電極方向Ｄ１に対する傾きは変わらない。
【０１３０】
これに対し、第１電極方向Ｄ１に対して傾斜した傾斜部３３Ｅと、２つの傾斜部３３Ｅを繋ぐ中継部３３Ｑとから構成されるセンシング電極線３３ＳＲの作成方法として、図１４が示すように、センシング基準電極線４０ＫＲにおける基準短線部４０Ｅの長さを変えずに、基準短線部４０Ｅを中継長Ｌｓの線分で繋ぐことにより、センシング電極線３３ＳＲの形状を得る方法がある。この場合、中継長Ｌｓが長くなるほど、作成されるセンシング電極線３３ＳＲにおいて傾斜部３３Ｅの第１電極方向Ｄ１に対する傾きは大きくなる一方、中継長Ｌｓが変化しても、傾斜部３３Ｅの長さは変わらない。図１４においては、センシング基準電極線４０ＫＲを破線、センシング電極線３３ＳＲを実線で示している。
【０１３１】
なお、このようにして得られたセンシング電極線３３ＳＲに対して設定される仮想交点３３ＫＰの位置は、センシング基準電極線４０ＫＲにおける基準屈曲部４０Ｑの位置とは一致せず、屈曲幅Ｈｓと基準幅ＫＨｓとは異なる大きさとなる。
【０１３２】
図１５は、上記試験例１〜６の各々における電極線パターンと画素パターンとの組み合わせについて、電極線の形状を、基準短線部４０Ｅの長さを変えずに、付与する中継長Ｌｓを変化させることにより得られるセンシング電極線３３ＳＲの形状とした場合に生じるモアレについてのシミュレーション結果を示す。
【０１３３】
図１５が示すように、傾斜部３３Ｅの長さが一定である場合、先の図１３と比較して、中継長Ｌｓを大きくしていくときのモアレコントラストの増加度合が大きい。そして、すべての試験例において、センシング電極線３３ＳＲのパターンを用いた場合のモアレコントラストが、電極線５０Ｒのパターンを用いた場合のモアレコントラストの１．１倍以下になるときの、交点間距離Ｔｓに対する中継長Ｌｓの比は０．０５以下であり、先の図１３の結果と比較して、モアレを抑えるために許容される中継長Ｌｓの範囲が狭いことが示唆される。これは、中継長Ｌｓが長くなることによって傾斜部３３Ｅの第１電極方向Ｄ１に対する傾きが大きくなると、センシング電極線３３ＳＲにおける屈曲角度αｓが小さくなり、このことが、モアレを強める要因となるためであると考えられる。
【０１３４】
したがって、所定の形状のセンシング基準電極線４０ＫＲを基にセンシング電極線３３ＳＲを作成する際には、基準短線部４０Ｅの第１電極方向Ｄ１に対する傾きを変えずに、互いに隣り合う基準短線部４０Ｅを中継長Ｌｓの線分で繋ぐことによってセンシング電極線３３ＳＲの形状を得ることが好ましい。
【０１３５】
ただし、基準短線部４０Ｅの長さを変えずに中継長Ｌｓの線分で繋ぐことにより得られた形状であっても、傾斜部３３Ｅと仮想交点３３ＫＰとを通る折れ線形状の電極線と比較して、屈曲部分での電極線の延びる方向の変化は緩やかであるため、製造過程において屈曲部分の付近で電極線の線幅の局所的な拡大を抑える効果は得られる。また、傾斜部３３Ｅと仮想交点３３ＫＰとを通る折れ線形状の電極線を基準としてモアレの生じる程度を評価すれば、先の図１３と同様の結果が得られることが示唆される。
【０１３６】
ドライブ電極線３１ＤＲについても同様に、屈曲角度αｄ、屈曲周期Ｗｄ、交点間距離Ｔｄ、屈曲幅Ｈｄ、および、電極線間隔Ｐｄの各々は、上述の説明にて屈曲角度αｓ、屈曲周期Ｗｓ、交点間距離Ｔｓ、屈曲幅Ｈｓ、および、電極線間隔Ｐｓの各々について示した条件と同じ条件を満たすように設定されることが好ましい。
【０１３７】
すなわち、屈曲角度αｄ、屈曲周期Ｗｄ、交点間距離Ｔｄ、屈曲幅Ｈｄ、および、電極線間隔Ｐｄの各パラメータは、仮想交点３１ＫＰにて屈曲する周期的な折れ線形状からなる基準電極線のパターンと表示パネル１０の画素パターンとを重ね合わせたときに、モアレの発生が抑えられる値に設定されることが好ましい。そして、屈曲角度αｄは、９５度以上１５０度以下であることが好ましく、１００度以上１４０度以下であることがさらに好ましい。また、電極線間隔Ｐｄは、表示パネル１０における第１画素幅Ｐ１および第２画素幅Ｐ２の１０％以上６００％以下の範囲で設定されることが好ましい。また、屈曲幅Ｈｄは、電極線間隔Ｐｄに対する屈曲幅Ｈｄの比（Ｈｄ／Ｐｄ）が、０．７以上１．３以下となる範囲で設定されることが好ましい。
【０１３８】
そして、中継部３１Ｑの中継長Ｌｄが交点間距離Ｔｄの０．２倍以下の長さであれば、屈曲部分の付近で電極線の線幅が局所的に太くなっている電極線パターンと比較して、画素パターンとの重ね合わせに際してモアレが視認されることが抑えられる。
【０１３９】
なお、センシング電極線３３ＳＲの形状は、換言すれば、センシング電極線３３ＳＲにおいて互いに隣り合う２つの傾斜部３３Ｅを繋ぐ部分である連結部が、これらの傾斜部３３Ｅの各々の延長線の交点である仮想交点３３ＫＰよりも、第２電極方向Ｄ２においてこれらの傾斜部３３Ｅの近くに位置する形状である。すなわち、仮想交点３３ＫＰと、２つの傾斜部３３Ｅとを直線状に繋ぐことにより囲まれる三角形の領域の内部にて、これらの２つの傾斜部３３Ｅにおける仮想交点３３ＫＰに近い方の端部同士が繋がれている。そして、傾斜部３３Ｅは、直線状の連結部である中継部３３Ｑによって他の傾斜部３３Ｅと連結される被連結部である。
【０１４０】
同様に、ドライブ電極線３１ＤＲの形状は、ドライブ電極線３１ＤＲにおいて互いに隣り合う２つの傾斜部３１Ｅを繋ぐ部分である連結部が、これらの傾斜部３１Ｅの各々の延長線の交点である仮想交点３１ＫＰよりも、第１電極方向Ｄ１においてこれらの傾斜部３１Ｅの近くに位置する形状である。そして、傾斜部３１Ｅは、直線状の連結部である中継部３１Ｑによって他の傾斜部３１Ｅと連結される被連結部である。
【０１４１】
こうした構成によれば、傾斜部３３Ｅ，３１Ｅと仮想交点３３ＫＰ，３１ＫＰとを通る折れ線形状の電極線と比較して、屈曲部分での電極線の延びる方向の単位面積における変化が緩やかであるため、製造過程において屈曲部分の付近で電極線の線幅が局所的に太くなることが抑えられる。
【０１４２】
第１実施形態において、透明誘電体基板３３は透明誘電体層の一例である。そして、透明誘電体基板３３の表面を第１面とするとき、透明誘電体基板３３の裏面が第２面であり、センシング電極線３３ＳＲが第１電極線であり、ドライブ電極線３１ＤＲが第２電極線であり、第１電極方向Ｄ１が、第１方向かつ第２交差方向であり、第２電極方向Ｄ２が、第２方向かつ第１交差方向である。また、透明誘電体基板３３の表面を第２面とするとき、透明誘電体基板３３の裏面が第１面であり、センシング電極線３３ＳＲが第２電極線であり、ドライブ電極線３１ＤＲが第１電極線であり、第１電極方向Ｄ１が、第２方向かつ第１交差方向であり、第２電極方向Ｄ２が、第１方向かつ第２交差方向である。
【０１４３】
以上説明したように、第１実施形態によれば、以下に列挙する効果を得ることができる。
（１）センシング電極線３３ＳＲ、および、ドライブ電極線３１ＤＲの各々において、仮想交点３３ＫＰ，３１ＫＰよりも手前で傾斜部３３Ｅ，３１Ｅが中継部３３Ｑ，３１Ｑによって繋がれている。そのため、傾斜部３３Ｅ，３１Ｅと仮想交点３３ＫＰ，３１ＫＰとを通る折れ線形状の電極線と比較して、屈曲部分での電極線の延びる方向の単位面積における変化が緩やかである。したがって、電極線３３ＳＲ，３１ＤＲの形成が容易であり、製造過程において屈曲部分の付近で電極線の線幅が局所的に拡大することが抑えられる。その結果、タッチパネル２０の電気的特性における設計値と実測値とにずれが生じることや、表示装置１００にて視認される画像の品質が低下することが抑えられる。
【０１４４】
（２）中継部３３Ｑが第１電極方向Ｄ１に沿って延び、中継部３１Ｑが第２電極方向Ｄ２に沿って延びている。こうした構成によれば、中継部３３Ｑ，３１Ｑが電極線の延びる方向に対して大きく傾いている構成と比較して、上記（１）の効果が的確に得られる。
【０１４５】
（３）センシング電極線３３ＳＲ、および、ドライブ電極線３１ＤＲの各々において、中継部３３Ｑ，３１Ｑの中継長Ｌｓ，Ｌｄは、交点間距離Ｔｓ，Ｔｄの０．２倍以下の長さである、これにより、傾斜部３３Ｅ，３１Ｅと仮想交点３３ＫＰ，３１ＫＰとを通る折れ線形状を設計上の形状として実際に形成された電極線であって、屈曲部分の付近で電極線の線幅が局所的に太くなっている電極線パターンと比較して、画素パターンとの重ね合わせに際してモアレが視認されることが抑えられる。
【０１４６】
（４）センシング電極線３３ＳＲのパターン、および、ドライブ電極線３１ＤＲのパターンの各々において、電極線間隔Ｐｓ，Ｐｄに対する屈曲幅Ｈｓ，Ｈｄの比は、０．７以上１．３以下である。こうした構成によれば、センシング電極線３３ＳＲやドライブ電極線３１ＤＲの基となる基準電極線のパターンのＦＦＴ解析にて現れる、基準電極線の延びる方向に延びる要素の周波数成分の強度が低く抑えられるため、基準電極線のパターンと画素パターンとの重ね合わせに際してモアレが視認され難くなる。その結果、基準電極線に基づいて作成される電極線パターンにおいても、画素パターンとの重ね合わせに際してモアレが視認されることがより抑えられやすくなる。
【０１４７】
（第１実施形態の変形例）
第１実施形態は、以下のように変更して実施することが可能である。
・中継部３３Ｑの延びる方向は、第１電極方向Ｄ１に対して傾斜していてもよいし、中継部３１Ｑの延びる方向は、第２電極方向Ｄ２に対して傾斜していてもよい。こうした構成であっても、仮想交点３３ＫＰ，３１ＫＰよりも手前で傾斜部３３Ｅ，３１Ｅが中継部３３Ｑ，３１Ｑによって繋がれていれば、上記（１）に準じた効果は得られる。ただし、電極線の線幅が局所的に拡大することを抑える効果を的確に得るためには、第１電極方向Ｄ１に対する中継部３３Ｑの傾きの角度の絶対値、および、第２電極方向Ｄ２に対する中継部３１Ｑの傾きの角度の絶対値の各々は、１０°以下であることが好ましい。
【０１４８】
・センシング電極線３３ＳＲにおける屈曲角度αｓ、屈曲周期Ｗｓ、交点間距離Ｔｓ、屈曲幅Ｈｓ、および、電極線間隔Ｐｓの各々と、ドライブ電極線３１ＤＲにおける屈曲角度αｄ、屈曲周期Ｗｄ、交点間距離Ｔｄ、屈曲幅Ｈｄ、および、電極線間隔Ｐｄの各々とは、異なっていてもよい。
【０１４９】
・センシング電極線３３ＳＲにおける中継部３３Ｑの中継長Ｌｓと、ドライブ電極線３１ＤＲにおける中継部３１Ｑの中継長Ｌｄとは、一致していてもよいし、異なっていてもよい。また、複数のセンシング電極線３３ＳＲにおける複数の中継部３３Ｑに、互いに異なる中継長Ｌｓを有する中継部３３Ｑが含まれてもよい。また、１つのセンシング電極線３３ＳＲにおける複数の中継部３３Ｑに、互いに異なる中継長Ｌｓを有する中継部３３Ｑが含まれてもよい。同様に、複数のドライブ電極線３１ＤＲや１つのドライブ電極線３１ＤＲにおける複数の中継部３１Ｑに、互いに異なる中継長Ｌｄを有する中継部３１Ｑが含まれてもよい。
【０１５０】
・センシング電極線３３ＳＲやドライブ電極線３１ＤＲの基となる基準電極線の形状は、上記実施形態の形状に限らず、周期的な屈曲線形状であればよい。具体的には、基準電極線の形状は、山部と谷部とが交互に繰り返される屈曲線形状であって、山部に位置する複数の基準屈曲部と、谷部に位置する複数の基準屈曲部とが、基準電極線の延びる方向に沿って延びる各別の直線上に位置していればよい。例えば、センシング基準電極線４０ＫＲにおいて、基準角度Ｋαｓは、基準屈曲部４０Ｑを通り、センシング基準電極線４０ＫＲの延びる方向と直交する方向に延びる直線によって、二等分されず、互いに隣り合う基準短線部４０Ｅのなす角は、上記直線に対して非対称な角から構成されてもよい。
【０１５１】
（第２実施形態）
図１６〜図２０を参照して、導電性フィルム、タッチパネル、および、表示装置の第２実施形態について説明する。以下では、第２実施形態と第１実施形態との相違点を中心に説明し、第１実施形態と同様の構成については同じ符号を付してその説明を省略する。
【０１５２】
［センシング電極線群の構成］
図１６を参照して、第２実施形態のセンシング電極線群３３ＳＧの構成について説明する。
図１６が示すように、第２実施形態のセンシング電極線３３ＳＲにおいては、仮想交点３３ＫＰの位置が不規則に変化している。すなわち、センシング電極線３３ＳＲに対して、第２電極方向Ｄ２の一方側に位置する複数の仮想交点３３ＫＰについて、仮想交点３３ＫＰの第２電極方向Ｄ２における位置は、上記第２電極方向Ｄ２の一方側での仮想交点３３ＫＰの並ぶ順序に対し不規則に変化している。同様に、センシング電極線３３ＳＲに対して、第２電極方向Ｄ２の他方側に位置する複数の仮想交点３３ＫＰについても、仮想交点３３ＫＰの第２電極方向Ｄ２における位置は、上記第２電極方向Ｄ２の他方側での仮想交点３３ＫＰの並ぶ順序に対し不規則に変化している。
【０１５３】
こうした構成においては、上記第２電極方向Ｄ２の一方側および他方側のいずれにおいても、複数の仮想交点３３ＫＰは１つの直線上には位置せず、これらの仮想交点３３ＫＰを結ぶ線は不規則な方向に屈曲する折れ線となる。また、傾斜部３３Ｅの長さおよび基軸線Ａ１に対する傾斜部３３Ｅの傾きの絶対値の各々は、１つのセンシング電極線３３ＳＲにおいて第１電極方向Ｄ１に沿って並ぶ複数の傾斜部３３Ｅの間で、傾斜部３３Ｅの並びの順序に対し不規則に変化している。
【０１５４】
また、１つのセンシング電極線３３ＳＲにおいて、隣接角度γｓ、屈曲角度αｓ、および、屈曲周期Ｗｓの各々は一定ではなく、複数のセンシング電極線３３ＳＲにおいて、互いに隣接するセンシング電極線３３ＳＲ間の電極線間隔Ｐｓも一定ではない。
【０１５５】
さらに、上記構成において、交点間距離Ｔｓは、センシング電極線３３ＳＲに沿って互いに隣り合う２つの仮想交点３３ＫＰ間の第１電極方向Ｄ１に沿った最大の長さである。また、屈曲幅Ｈｓは、センシング電極線３３ＳＲに対して、第２電極方向Ｄ２の一方側に位置する仮想交点３３ＫＰと、第２電極方向Ｄ２の他方側に位置する仮想交点３３ＫＰとの間の、第２電極方向Ｄ２に沿った最大の長さである。すなわち、屈曲幅Ｈｓは、第２電極方向Ｄ２の一方側にて第２電極方向Ｄ２の最も外側に位置する仮想交点３３ＫＰと、第２電極方向Ｄ２の他方側にて第２電極方向Ｄ２の最も外側に位置する仮想交点３３ＫＰとの間の、第２電極方向Ｄ２に沿った長さである。
【０１５６】
［センシング電極線の作成方法］
図１７および図１８を参照して、第２実施形態のセンシング電極線３３ＳＲを作成する方法について説明する。第２実施形態のセンシング電極線３３ＳＲは、第１実施形態で説明したセンシング基準電極線４０ＫＲにおける基準屈曲部４０Ｑの位置を不規則に変位させた後、基準屈曲部４０Ｑの付近の形状を、基準短線部４０Ｅを中継長Ｌｓの線分で結んだ形状に変更することによって得られる。
【０１５７】
図１７が示すように、まず、センシング基準電極線４０ＫＲにて基準屈曲部４０Ｑの位置を不規則に変位させることによって、センシング変位電極線４５ＴＲが作成される。センシング基準電極線４０ＫＲは、基準屈曲部４０Ｑとして第１仮想屈曲部と第２仮想屈曲部とを有する仮想的な電極線として設定される。第１仮想屈曲部と第２仮想屈曲部とは、センシング基準電極線４０ＫＲに沿って周期的に１つずつ交互に並び、複数の第１仮想屈曲部と複数の第２仮想屈曲部とは、第１電極方向Ｄ１に沿って延びる別々の直線上に位置する。こうした第１の仮想的な電極線であるセンシング基準電極線４０ＫＲから、第２の仮想的な電極線であるセンシング変位電極線４５ＴＲが作成される。
【０１５８】
基準屈曲部４０Ｑの位置は、基準屈曲部４０Ｑを中心とする菱形形状の変位領域Ｓｓ内で動かされる。１つのセンシング変位電極線４５ＴＲは、１つのセンシング基準電極線４０ＫＲにおける各基準屈曲部４０Ｑの位置が、基準屈曲部４０Ｑごとの変位領域Ｓｓ内で基準屈曲部４０Ｑの第１電極方向Ｄ１に沿った並びの順序に対して不規則に動かされた形状を有する。
【０１５９】
図１７は、複数のセンシング基準電極線４０ＫＲにおける各基準屈曲部４０Ｑの位置を、変位領域Ｓｓ内で不規則に変位させることによって得られたセンシング変位電極線４５ＴＲのパターンの一例を示しており、図１７においては、センシング基準電極線４０ＫＲが細線、センシング変位電極線４５ＴＲが太線で示されている。
【０１６０】
変位領域Ｓｓは、第１電極方向Ｄ１に沿って延びる対角線である基準方向対角線Ｎｓ１と第２電極方向Ｄ２に沿って延びる対角線である交差方向対角線Ｎｓ２とを有する菱形形状を有する。基準方向対角線Ｎｓ１の長さは長さｄｓ１であり、長さｄｓ１は、基準周期ＫＷｓの０倍を超え０．５倍以下の範囲で設定されることが好ましい。また、交差方向対角線Ｎｓ２の長さは長さｄｓ２であり、長さｄｓ２は、基準間隔ＫＰｓの０倍を超え１．０倍以下の範囲で設定されることが好ましい。
【０１６１】
長さｄｓ１，ｄｓ２が上記上限値以下であれば、作成されるセンシング電極線３３ＳＲのパターンが過度に不規則になることが抑えられ、例えば、互いに隣り合うセンシング電極線３３ＳＲが交差したり接触したりすることが抑えられる。
【０１６２】
図１８が示すように、続いて、センシング変位電極線４５ＴＲの屈曲部分、すなわち、変位領域Ｓｓ内で動かされた後の基準屈曲部４０Ｑである変位屈曲部４５Ｑの付近の形状を、変位屈曲部４５Ｑに向かって延びる線分を変位屈曲部４５Ｑの手前で中継長Ｌｓの線分により結んだ形状に変更することによって、センシング電極線３３ＳＲが作成される。センシング変位電極線４５ＴＲの変位屈曲部４５Ｑの位置が、このセンシング変位電極線４５ＴＲに基づいて作成されたセンシング電極線３３ＳＲにおける仮想交点３３ＫＰの位置に相当する。
【０１６３】
第２実施形態においては、センシング基準電極線４０ＫＲの基準角度Ｋαｓ、基準周期ＫＷｓ、および、基準間隔ＫＰｓの各々は、センシング電極線３３ＳＲの大部分における屈曲角度αｓ、屈曲周期Ｗｓ、および、電極線間隔Ｐｓの各々とは一致せず、基準交点距離ＫＴｓ、基準幅ＫＨｓの各々も、交点間距離Ｔｓ、屈曲幅Ｈｓの各々とは一致しない。センシング基準電極線４０ＫＲの基準角度Ｋαｓ、基準周期ＫＷｓ、基準交点距離ＫＴｓ、基準幅ＫＨｓ、および、基準間隔ＫＰｓの各々は第１実施形態と同様の条件を満たすように設定されることが好ましい。
【０１６４】
ここで、センシング電極線３３ＳＲの各中継部３３Ｑの中継長Ｌｓは、センシング基準電極線４０ＫＲの基準交点距離ＫＴｓの０．２倍以下の長さであることが好ましい。こうした構成であれば、中継長Ｌｓは、センシング電極線３３ＳＲの交点間距離Ｔｓの０．２倍以下の長さとなる場合が多い。
【０１６５】
例えば、センシング電極線３３ＳＲの作成に際しては、センシング基準電極線４０ＫＲの基準交点距離ＫＴｓに対する比が０．２以下の所定の値である中継長Ｌｓが定められ、この中継長Ｌｓの線分で繋ぐように、センシング変位電極線４５ＴＲにおける各変位屈曲部４５Ｑの付近の形状が変更されればよい。
【０１６６】
なお、上述のセンシング変位電極線４５ＴＲは、センシング基準電極線４０ＫＲからセンシング電極線３３ＳＲを作成する過程の説明のために用いた仮想的な電極線であり、センシング変位電極線４５ＴＲの明示的な設定を経ずに、センシング基準電極線４０ＫＲにおける基準屈曲部４０Ｑの変位と、屈曲部分の形状の変更とによってセンシング電極線３３ＳＲが形成されてもよい。
【０１６７】
［ドライブ電極線群の構成］
図１９を参照して、第２実施形態のドライブ電極線群３１ＤＧの構成およびその作成方法について説明する。
図１９が示すように、ドライブ電極線３１ＤＲにおいても、ドライブ電極線３１ＤＲに対して第１電極方向Ｄ１の一方側に位置する複数の仮想交点３１ＫＰについて、仮想交点３１ＫＰの第１電極方向Ｄ１における位置は、上記第１電極方向Ｄ１の一方側での仮想交点３１ＫＰの並ぶ順序に対し不規則に変化している。同様に、ドライブ電極線３１ＤＲに対して第１電極方向Ｄ１の他方側に位置する複数の仮想交点３１ＫＰについても、仮想交点３１ＫＰの第１電極方向Ｄ１における位置は、上記第１電極方向Ｄ１の他方側での仮想交点３１ＫＰの並ぶ順序に対し不規則に変化している。
【０１６８】
こうした構成においては、傾斜部３１Ｅの長さおよび基軸線Ａ２に対する傾斜部３１Ｅの傾きの絶対値の各々は、１つのドライブ電極線３１ＤＲにおいて第２電極方向Ｄ２に沿って並ぶ複数の傾斜部３１Ｅの間で、傾斜部３１Ｅの並びの順序に対し不規則に変化している。また、１つのドライブ電極線３１ＤＲにおいて、隣接角度γｄ、屈曲角度αｄ、および、屈曲周期Ｗｄの各々は一定ではなく、複数のドライブ電極線３１ＤＲにおいて、互いに隣接するドライブ電極線３１ＤＲ間の電極線間隔Ｐｄも一定ではない。
【０１６９】
また、交点間距離Ｔｄは、ドライブ電極線３１ＤＲに沿って互いに隣り合う２つの仮想交点３１ＫＰ間の第２電極方向Ｄ２に沿った最大の長さである。そして、屈曲幅Ｈｄは、ドライブ電極線３１ＤＲに対して、第１電極方向Ｄ１の一方側に位置する仮想交点３１ＫＰと、第１電極方向Ｄ１の他方側に位置する仮想交点３１ＫＰとの間の、第１電極方向Ｄ１に沿った最大の長さである。
【０１７０】
ドライブ電極線３１ＤＲも、センシング電極線３３ＳＲと同様に、周期的な折れ線形状を有する仮想的な電極線であるドライブ基準電極線４１ＫＲにおける基準屈曲部４１Ｑの位置を不規則に変位させた後、基準屈曲部４１Ｑの付近の形状を、基準短線部４１Ｅを中継長Ｌｄの線分により結んだ形状に変更することによって得られる。図１９においては、ドライブ基準電極線４１ＫＲを細線で示し、このドライブ基準電極線４１ＫＲを基に形成されたドライブ電極線３１ＤＲの一例を太線で示す。
【０１７１】
複数のドライブ基準電極線４１ＫＲから構成されるパターンは、複数のセンシング基準電極線４０ＫＲから構成されるパターンが９０度回転されたパターンである。すなわち、ドライブ基準電極線４１ＫＲは、複数の基準短線部４１Ｅが基準屈曲部４１Ｑを介して連なり、第２電極方向Ｄ２に沿って延びる折れ線形状を有する。基準屈曲部４１Ｑは、第１仮想屈曲部と第２仮想屈曲部とから構成され、第１仮想屈曲部と第２仮想屈曲部とは、ドライブ基準電極線４１ＫＲに沿って周期的に１つずつ交互に並び、複数の第１仮想屈曲部と複数の第２仮想屈曲部とは、第２電極方向Ｄ２に沿って延びる別々の直線上に位置する。
【０１７２】
互いに隣り合う２つの基準短線部４１Ｅのなす角の角度は基準角度Ｋαｄであり、第２電極方向Ｄ２に沿って隣り合う基準屈曲部４１Ｑの間の長さは基準周期ＫＷｄである。また、ドライブ基準電極線４１ＫＲに沿って隣り合う基準屈曲部４１Ｑの間の第２電極方向Ｄ２に沿った長さは基準交点距離ＫＴｄであり、ドライブ基準電極線４１ＫＲに沿って隣り合う基準屈曲部４１Ｑ間の第１電極方向Ｄ１に沿った長さは基準幅ＫＨｄである。そして、複数のドライブ基準電極線４１ＫＲは、第１電極方向Ｄ１に沿って、基準間隔ＫＰｄをあけて並んでいる。基準角度Ｋαｄ、基準周期ＫＷｄ、基準交点距離ＫＴｄ、基準幅ＫＨｄ、および、基準間隔ＫＰｄの各々は、第１実施形態にてセンシング基準電極線４０ＫＲの基準角度Ｋαｓ、基準周期ＫＷｓ、基準交点距離ＫＴｓ、基準幅ＫＨｓ、および、基準間隔ＫＰｓの各々について示した条件と同じ条件を満たすように設定されることが好ましい。
【０１７３】
すなわち、基準角度Ｋαｄ、基準周期ＫＷｄ、基準交点距離ＫＴｄ、基準幅ＫＨｄ、および、基準間隔ＫＰｄの各パラメータは、複数のドライブ基準電極線４１ＫＲからなるパターンと表示パネル１０の画素パターンとを重ね合わせたときに、モアレの発生が抑えられる値に設定されることが好ましい。そして、基準角度Ｋαｄは、９５度以上１５０度以下であることが好ましく、１００度以上１４０度以下であることがさらに好ましい。また、基準間隔ＫＰｄは、表示パネル１０における第１画素幅Ｐ１および第２画素幅Ｐ２の１０％以上６００％以下の範囲で設定されることが好ましい。また、基準幅ＫＨｄは、基準間隔ＫＰｄに対する基準幅ＫＨｄの比（ＫＨｄ／ＫＰｄ）が、０．７以上１．３以下となる範囲で設定されることが好ましい。
【０１７４】
基準屈曲部４１Ｑの位置は、基準屈曲部４１Ｑを中心とする菱形形状の変位領域Ｓｄ内で動かされる。変位領域Ｓｄは、第２電極方向Ｄ２に沿って延びる対角線である基準方向対角線Ｎｄ１と第１電極方向Ｄ１に沿って延びる対角線である交差方向対角線Ｎｄ２とを有する菱形形状を有する。基準方向対角線Ｎｄ１の長さは長さｄｄ１であり、長さｄｄ１は、基準周期ＫＷｄの０倍を超え０．５倍以下の範囲で設定されることが好ましい。交差方向対角線Ｎｄ２の長さは長さｄｄ２であり、長さｄｄ２は、基準間隔ＫＰｄの０倍を超え１．０倍以下の範囲で設定されることが好ましい。
【０１７５】
基準方向対角線Ｎｄ１の長さｄｄ１は、センシング基準電極線４０ＫＲにおける基準方向対角線Ｎｓ１の長さｄｓ１と一致していてもよいし、異なっていてもよい。また、交差方向対角線Ｎｄ２の長さｄｄ２は、センシング基準電極線４０ＫＲにおける交差方向対角線Ｎｓ２の長さｄｓ２と一致していてもよいし、異なっていてもよい。
【０１７６】
ドライブ基準電極線４１ＫＲにおける各基準屈曲部４１Ｑの位置が、基準屈曲部４１Ｑごとの変位領域Ｓｄ内で基準屈曲部４１Ｑの第２電極方向Ｄ２に沿った並びの順序に対して不規則に動かされ、続いて、変位領域Ｓｄ内で動かされた後の基準屈曲部４０Ｑの付近の形状が、中継長Ｌｄの線分によって結ばれるように変更される。これにより、ドライブ電極線３１ＤＲが作成される。変位領域Ｓｄ内で動かされた後の基準屈曲部４０Ｑの位置が、ドライブ電極線３１ＤＲにおける仮想交点３１ＫＰの位置に相当する。
【０１７７】
ドライブ基準電極線４１ＫＲの基準角度Ｋαｄ、基準周期ＫＷｄ、および、基準間隔ＫＰｄの各々は、ドライブ電極線３１ＤＲの大部分における屈曲角度αｄ、屈曲周期Ｗｄ、および、電極線間隔Ｐｄの各々とは一致せず、基準交点距離ＫＴｄ、基準幅ＫＨｄの各々も、交点間距離Ｔｄ、屈曲幅Ｈｄの各々とは一致しない。ドライブ電極線３１ＤＲの中継部３１Ｑの中継長Ｌｄは、ドライブ基準電極線４１ＫＲの基準交点距離ＫＴｄの０．２倍以下の長さであることが好ましく、ドライブ電極線３１ＤＲの交点間距離Ｔｄの０．２倍以下の長さであることが好ましい。
【０１７８】
以上のように、第２実施形態においては、センシング電極線３３ＳＲのパターンは、センシング基準電極線４０ＫＲのパターンの周期性が崩されたパターンを基に作成され、ドライブ電極線３１ＤＲのパターンは、ドライブ基準電極線４１ＫＲのパターンの周期性が崩されたパターンを基に作成される。すなわち、第２実施形態におけるセンシング電極線３３ＳＲのパターンの周期性は、第１実施形態のセンシング電極線３３ＳＲのパターンの周期性よりも低く、第２実施形態におけるドライブ電極線３１ＤＲのパターンの周期性は、第１実施形態のドライブ電極線３１ＤＲのパターンの周期性よりも低い。
【０１７９】
このように、第１実施形態と比較して、第２実施形態の電極線パターンの周期性、すなわち、第１電極方向Ｄ１および第２電極方向Ｄ２の各々における構造体の有無の周期性は低く、それゆえ、こうした電極線パターンが用いられる場合、画素パターンと電極線パターンとのずれが、２つの周期構造のずれとして認識され難くなる。したがって、本実施形態の電極線パターンを表示パネル１０の画素パターンと重ね合わせた場合に、モアレが視認されることがさらに抑えられる。例えば、第２実施形態の電極線パターンを有するタッチパネル２０を、大きさや解像度の異なる複数の表示パネル１０と重ね合わせた場合にも、それぞれの表示パネル１０に対して、モアレが視認されることが抑えられる。
【０１８０】
なお、第２実施形態において、複数のセンシング電極線３３ＳＲにおける複数の中継部３３Ｑに、第１電極方向Ｄ１に対して傾斜した方向に延びる中継部３３Ｑが含まれてもよい。また、１つのセンシング電極線３３ＳＲにおける複数の中継部３３Ｑに、第１電極方向Ｄ１に対して傾斜した方向に延びる中継部３３Ｑが含まれてもよい。例えば、図２０が示すように、中継部３３Ｑに接続した２つの傾斜部３３Ｅの第１電極方向Ｄ１に対する傾きの角度の絶対値が異なる場合、中継部３３Ｑは、中継部３３Ｑが第１電極方向Ｄ１に沿った方向に延びている場合と比較して、一方の傾斜部３３Ｅとの間の隣接角度γｓと他方の傾斜部３３Ｅとの間の隣接角度γｓとの差が小さくなるように、第１電極方向Ｄ１に対して傾斜していてもよい。こうした構成によれば、センシング電極線３３ＳＲにおいて隣接角度γｓのばらつきが抑えられ、隣接角度γｓの最小値を大きくできるため、センシング電極線３３ＳＲにおける角部の形成がより容易になり、電極線の線幅が局所的に拡大することがより抑えられる。
【０１８１】
同様に、複数のドライブ電極線３１ＤＲや１つのドライブ電極線３１ＤＲにおける複数の中継部３１Ｑに、第２電極方向Ｄ２に対して傾斜した方向に延びる中継部３１Ｑが含まれてもよい。なお、第１電極方向Ｄ１に対する中継部３３Ｑの傾きの角度の絶対値、および、第２電極方向Ｄ２に対する中継部３１Ｑの傾きの角度の絶対値の各々は、例えば、１０°以下であればよい。
【０１８２】
また、複数のセンシング電極線３３ＳＲや１つのセンシング電極線３３ＳＲにおける複数の中継部３３Ｑに、互いに異なる中継長Ｌｓを有する中継部３３Ｑが含まれてもよい。同様に、複数のドライブ電極線３１ＤＲや１つのドライブ電極線３１ＤＲにおける複数の中継部３１Ｑに、互いに異なる中継長Ｌｄを有する中継部３３Ｑが含まれてもよい。
【０１８３】
第２実施形態においては、センシング電極線３３ＳＲに対して第２電極方向Ｄ２の一方側に位置する仮想交点３３ＫＰ、および、第２電極方向Ｄ２の他方側に位置する仮想交点３３ＫＰの各々が、第２電極方向Ｄ２における位置が不規則に変化する変位仮想交点である。また、ドライブ電極線３１ＤＲに対して第１電極方向Ｄ１の一方側に位置する仮想交点３１ＫＰ、および、第１電極方向Ｄ１の他方側に位置する仮想交点３１ＫＰの各々が、第１電極方向Ｄ１における位置が不規則に変化する変位仮想交点である。
【０１８４】
以上説明したように、第２実施形態によれば、第１実施形態の（１）の効果に加えて、以下に列挙する効果を得ることができる。
（５）センシング電極線３３ＳＲに対して第２電極方向Ｄ２の一方側および他方側の各々において、仮想交点３３ＫＰの第２電極方向Ｄ２における位置は、仮想交点３３ＫＰの並ぶ順序に対し不規則に変化している。同様に、ドライブ電極線３１ＤＲに対して第１電極方向Ｄ１の一方側および他方側の各々において、仮想交点３１ＫＰの第１電極方向Ｄ１における位置は、仮想交点３１ＫＰの並ぶ順序に対し不規則に変化している。こうした構成によれば、複数のセンシング電極線３３ＳＲと複数のドライブ電極線３１ＤＲとから構成される電極線パターンが、不規則に屈曲する屈曲線を含むため、規則的な屈曲線からなる電極線パターンと比較して、電極線パターンの周期性が低い。その結果、画素パターンと電極線パターンとのずれが、２つの周期構造のずれとして認識され難くなるため、画素パターンと電極線パターンとを重ね合わせた場合に、モアレが視認されることがさらに抑えられる。
【０１８５】
（６）センシング電極線３３ＳＲは、複数の仮想交点３３ＫＰの各々が、センシング基準電極線４０ＫＲの基準屈曲部４０Ｑを中心とする各別の変位領域Ｓｓ内に位置するように構成されている。そして、変位領域Ｓｓにおける基準方向対角線Ｎｓ１の長さｄｓ１は、基準周期ＫＷｓの０．５倍以下の長さであり、交差方向対角線Ｎｓ２の長さｄｓ２は、基準間隔ＫＰｓの１．０倍以下の長さである。同様に、ドライブ電極線３１ＤＲは、複数の仮想交点３１ＫＰの各々が、ドライブ基準電極線４１ＫＲの基準屈曲部４１Ｑを中心とする各別の変位領域Ｓｄ内に位置するように構成されている。そして、変位領域Ｓｄにおける基準方向対角線Ｎｄ１の長さｄｄ１は、基準周期ＫＷｄの０．５倍以下の長さであり、交差方向対角線Ｎｄ２の長さｄｄ２は、基準間隔ＫＰｄの１．０倍以下の長さである。こうした構成によれば、センシング電極線３３ＳＲやドライブ電極線３１ＤＲのパターンが過度に不規則になることが抑えられ、例えば、互いに隣り合うセンシング電極線３３ＳＲが交差したり接触したりすることが抑えられる。
【０１８６】
（第２実施形態の変形例）
第２実施形態は、以下のように変更して実施することが可能である。
・上記実施形態では、センシング電極線３３ＳＲやドライブ電極線３１ＤＲを、基準電極線４０ＫＲ，４１ＫＲにおける基準屈曲部４０Ｑ，４１Ｑの位置を不規則に変位させた後、基準屈曲部４０Ｑ，４１Ｑの付近の形状を、基準短線部４０Ｅ，４１Ｅを中継部３３Ｑ，３１Ｑで繋ぐように変更することによって作成した。これに限らず、仮想交点３３ＫＰ，３１ＫＰの位置が、仮想交点３３ＫＰ，３１ＫＰの並ぶ順序に対し不規則に変化するセンシング電極線３３ＳＲやドライブ電極線３１ＤＲを作成可能であれば、これらの電極線３３ＳＲ，３１ＤＲの作成方法は上記実施形態と異なってもよい。例えば、センシング電極線３３ＳＲやドライブ電極線３１ＤＲは、第１の実施形態のセンシング電極線３３ＳＲやドライブ電極線３１ＤＲにおける中継部３３Ｑ，３１Ｑの位置を、中継部３３Ｑ，３１Ｑの並ぶ順序に対して不規則に変位させることによって作成されてもよい。
【０１８７】
・センシング電極線３３ＳＲにおいては、センシング電極線３３ＳＲに対して第２電極方向Ｄ２の少なくとも一方側にて、仮想交点３３ＫＰの第２電極方向Ｄ２における位置が、仮想交点３３ＫＰの並ぶ順序に対し不規則に変化していればよい。例えば、センシング電極線３３ＳＲに対して第２電極方向Ｄ２のいずれか一方側では、第１電極方向Ｄ１に沿って延びる１つの直線上に仮想交点３３ＫＰが位置してもよい。同様に、ドライブ電極線３１ＤＲにおいては、ドライブ電極線３１ＤＲに対して第１電極方向Ｄ１の少なくとも一方側にて、仮想交点３１ＫＰの第１電極方向Ｄ１における位置が、仮想交点３１ＫＰの並ぶ順序に対し不規則に変化していればよい。こうした場合、不規則に配置されている仮想交点３３ＫＰ，３１ＫＰが、変位仮想交点である。
【０１８８】
・複数のセンシング電極線３３ＳＲから構成されるパターンと、複数のドライブ電極線３１ＤＲから構成されるパターンとのいずれか一方のみにおいて、仮想交点が不規則に配置されていてもよい。また、複数のセンシング電極線３３ＳＲの一部のみ、あるいは、１つのセンシング電極線３３ＳＲの一部のみにおいて、仮想交点３３ＫＰが不規則に配置されていてもよいし、複数のドライブ電極線３１ＤＲの一部のみ、あるいは、１つのドライブ電極線３１ＤＲの一部のみにおいて、仮想交点３１ＫＰが不規則に配置されていてもよい。こうした構成によっても、すべての仮想交点３３ＫＰ，３１ＫＰが規則的に配置された電極線パターンと比較して、電極線パターンの周期性は低くなるため、上記（５）に準じた効果は得られる。
【０１８９】
（他の変形例）
第１実施形態、第２実施形態、および、これらの実施形態の変形例は、以下のように変更して実施することが可能である。
・センシング電極線３３ＳＲとドライブ電極線３１ＤＲとの重ね合わせに際して、センシング電極線３３ＳＲの延びる方向である第１電極方向Ｄ１とドライブ電極線３１ＤＲの延びる方向である第２電極方向Ｄ２とは直交していなくてもよく、これらの方向は交差していればよい。すなわち、一方の電極線の延びる方向である第１方向と、他方の電極線の延びる方向である第２方向とは、直交していなくてもよい。
【０１９０】
なお、第１方向と第２方向とが直交する構成では、センシング電極線３３ＳＲとドライブ電極線３１ＤＲとが重ね合わされた電極線パターンが容易に得られ、また、導電性フィルム２１の製造に際して、センシング電極線３３ＳＲとドライブ電極線３１ＤＲとの位置合わせが容易である。
【０１９１】
また、センシング電極線３３ＳＲの延びる方向とセンシング電極線３３ＳＲの並ぶ方向とは、互いに直交していなくてもよく、これらの方向は交差していればよい。同様に、ドライブ電極線３１ＤＲの延びる方向とドライブ電極線３１ＤＲの並ぶ方向とは、互いに直交していなくてもよく、これらの方向は交差していればよい。すなわち、一方の電極線の延びる方向である第１方向と、一方の電極線の並ぶ方向である第１交差方向とは互いに交差する方向であればよく、他方の電極線の延びる方向である第２方向と、他方の電極線の並ぶ方向である第２交差方向とは、互いに交差する方向であればよい。
【０１９２】
また、上記実施形態では、第１方向と第２交差方向とは同一の方向であり、第２方向と第１交差方向とは同一の方向であるが、これらの方向のすべてが互いに異なる方向であってもよい。
【０１９３】
・複数のセンシング電極線３３ＳＲから構成されるパターンと、複数のドライブ電極線３１ＤＲから構成されるパターンとのいずれか一方のみが、傾斜部と中継部とから構成される屈曲線形状の電極線からなるパターンであってもよい。また、複数のセンシング電極線３３ＳＲから構成されるパターンと、複数のドライブ電極線３１ＤＲから構成されるパターンとには、傾斜部と中継部とから構成される形状とは異なる形状の屈曲部分が含まれてもよい。例えば、第２実施形態において、基準電極線４０ＫＲ，４１ＫＲの基準屈曲部４０Ｑ，４１Ｑを変位させた後、基準屈曲部４０Ｑ，４１Ｑで接続された２つの基準短線部４０Ｅ，４１Ｅのなす角度が相対的に小さい基準屈曲部４０Ｑ，４１Ｑの付近のみにおいて、電極線の形状を中継部３３Ｑ，３１Ｑによって繋ぐように変更することによって、センシング電極線３３ＳＲとドライブ電極線３１ＤＲとが作成されてもよい。すなわち、電極線の局所的な線幅の拡大が特に生じやすい箇所において、屈曲部分が傾斜部と中継部とから構成される形状とされてもよい。こうした構成によっても、電極線の形状がその全体に渡って傾斜部３３Ｅ，３１Ｅと仮想交点３３ＫＰ，３１ＫＰとを通る折れ線形状である場合と比較して、電極線の局所的な線幅の拡大を抑えることはできる。
【０１９４】
また例えば、センシング電極線３３ＳＲとドライブ電極線３１ＤＲとの各々は、少なくともモアレを抑制したい領域に配置される部分において、傾斜部と中継部とから構成される屈曲線形状を有していればよい。
【０１９５】
・図２１が示すように、タッチパネル２０を構成する導電性フィルム２１において、透明基板３１および透明接着層３２が割愛されてもよい。こうした構成では、透明誘電体基板３３の面のなかで、表示パネル１０と対向する裏面がドライブ電極面３１Ｓとして設定され、ドライブ電極面３１Ｓには、ドライブ電極３１ＤＰが位置する。そして、透明誘電体基板３３における裏面と反対側の面である表面はセンシング電極面３３Ｓであって、センシング電極面３３Ｓには、センシング電極３３ＳＰが位置する。なお、こうした構成において、ドライブ電極３１ＤＰは、例えば、透明誘電体基板３３の一方の面に形成された１つの薄膜が、エッチングによってパターニングされることにより形成され、センシング電極３３ＳＰは、例えば、透明誘電体基板３３の他方の面に形成された１つの薄膜が、エッチングによってパターニングされることにより形成される。
【０１９６】
なお、上記各実施形態のように、センシング電極線群３３ＳＧとドライブ電極線群３１ＤＧとが互いに異なる基材上に形成されている構成では、１つの基材の両面に電極線が形成されている構成と比較して、電極線の形成が容易である。
【０１９７】
・図２２が示すように、タッチパネル２０において、表示パネル１０に近い構成要素から順番に、ドライブ電極３１ＤＰ、透明基板３１、透明接着層３２、透明誘電体基板３３、センシング電極３３ＳＰ、透明接着層２３、カバー層２２が位置してもよい。
【０１９８】
こうした構成において、例えば、ドライブ電極３１ＤＰは、透明基板３１のドライブ電極面３１Ｓとなる１つの面に形成され、センシング電極３３ＳＰは、透明誘電体基板３３のセンシング電極面３３Ｓとなる１つの面に形成される。そして、透明基板３１においてドライブ電極面３１Ｓの反対側の面と、透明誘電体基板３３においてセンシング電極面３３Ｓの反対側の面とが、透明接着層３２によって接着される。この場合、透明基板３１、透明接着層３２、および、透明誘電体基板３３が、透明誘電体層を構成し、透明基板３１のドライブ電極面３１Ｓが、第１面および第２面の一方であり、透明誘電体基板３３のセンシング電極面３３Ｓが、第１面および第２面の他方である。
【０１９９】
・表示パネル１０とタッチパネル２０とは、個別に形成されていなくともよく、タッチパネル２０は、表示パネル１０と一体に形成されてもよい。こうした構成では、例えば、導電性フィルム２１のうち、複数のドライブ電極３１ＤＰがＴＦＴ層１３に位置する一方、複数のセンシング電極３３ＳＰがカラーフィルタ基板１６と上側偏光板１７との間に位置するインセル型の構成とすることができる。あるいは、導電性フィルム２１がカラーフィルタ基板１６と上側偏光板１７との間に位置するオンセル型の構成でもよい。こうした構成においては、ドライブ電極３１ＤＰとセンシング電極３３ＳＰとに挟まれる層が、透明誘電体層を構成する。
【符号の説明】
【０２００】
Ａ１，Ａ２…基軸線、Ｋ１，Ｋ２…仮想線、Ｄ１…第１電極方向、Ｄ２…第２電極方向、ＮＤ…容量検出部、Ｓｓ，Ｓｄ…変位領域、Ｎｓ１，Ｎｄ１…基準方向対角線、Ｎｓ２，Ｎｄ２…交差方向対角線、ＫＰｓ，ＫＰｄ…基準間隔、ＫＨｓ，ＫＨｄ…基準幅、ＫＷｓ，ＫＷｄ…基準周期、ＫＴｓ，ＫＴｄ…基準交点距離、Ｋαｓ，Ｋαｄ…基準角度、Ｐｓ，Ｐｄ…電極線間隔、Ｈｓ，Ｈｄ…屈曲幅、Ｗｓ，Ｗｄ…屈曲周期、Ｔｓ，Ｔｄ…交点間距離、αｓ，αｄ…屈曲角度、Ｌｓ，Ｌｄ…中継長、１０…表示パネル、１１…下側偏光板、１２…薄膜トランジスタ基板、１３…ＴＦＴ層、１４…液晶層、１５…カラーフィルタ層、１５Ｐ…画素、１６…カラーフィルタ基板、１７…上側偏光板、２０…タッチパネル、２１…導電性フィルム、２２…カバー層、２３…透明接着層、３１…透明基板、３１ＤＰ…ドライブ電極、３１ＤＲ…ドライブ電極線、３１ＤＧ…ドライブ電極線群、３１Ｓ…ドライブ電極面、３１Ｅ…傾斜部、３１Ｑ…中継部、３１ＫＰ…仮想交点、３３…透明誘電体基板、３３ＳＰ…センシング電極、３３ＳＲ…センシング電極線、３３ＳＧ…センシング電極線群、３３Ｓ…センシング電極面、３３Ｅ…傾斜部、３３Ｑ…中継部、３３ＫＰ…仮想交点、３４…選択回路、３５…検出回路、３６…制御部、４０ＫＲ…センシング基準電極線、４１ＫＲ…ドライブ基準電極線、４０Ｅ，４１Ｅ…基準短線部、４０Ｑ，４１Ｑ…基準屈曲部、１００…表示装置。
【図１】
2017211774.tif 000004
【図２】
2017211774.tif 000005
【図３】
2017211774.tif 000006
【図４】
2017211774.tif 000007
【図５】
2017211774.tif 000008
【図６】
2017211774.tif 000009
【図７】
2017211774.tif 000010
【図８】
2017211774.tif 000011
【図９】
2017211774.tif 000012
【図１０】
2017211774.tif 000013
【図１１】
2017211774.tif 000014
【図１２】
2017211774.tif 000015
【図１３】
2017211774.tif 000016
【図１４】
2017211774.tif 000017
【図１５】
2017211774.tif 000018
【図１６】
2017211774.tif 000019
【図１７】
2017211774.tif 000020
【図１８】
2017211774.tif 000021
【図１９】
2017211774.tif 000022
【図２０】
2017211774.tif 000023
【図２１】
2017211774.tif 000024
【図２２】
2017211774.tif 000025